(57)【要約】本開示は、同時にサンプリングされる、差動的に取得される広帯域位相勾配信号（例えば、広帯域心臓位相勾配信号、広帯域脳位相勾配信号）の捕捉（例えば、双極捕捉）を促進する。着目すべきこととして、例示されるシステムは、その中の情報に影響を及ぼさないように、位相空間ドメイン内の広帯域位相勾配信号の分析に非確定的に影響を及ぼし得る、取得された広帯域位相勾配信号内の非線形歪曲（例えば、位相歪曲等のあるフィルタを介して導入され得るもの）を最小限にする。さらに、遮蔽駆動回路および遮蔽駆動電圧面が、取得システムの低雑音および低干渉の動作を促進するために使用され得る。
2020508788.tif 000002
【特許請求の範囲】
【請求項１】
装置であって、
複数の生体信号取得チャネルであって、各生体信号取得チャネルは、利得増幅器を備え、前記利得増幅器は、入力毎に双極感知によって、患者上に設置される一対の関連付けられた表面電極から受信される差動生体電位信号を増幅させ、差動広帯域心臓位相勾配信号を発生させるように構成され、各差動生体電位信号は、１ｋＨｚを上回る前記発生された広帯域心臓位相勾配信号内の歪曲を生じさせるフィルタ処理を伴わずに増幅され、前記生体信号取得チャネルの各出力は、生体信号取得チャネルのそれぞれを同時にサンプリングし、差動広帯域心臓位相勾配信号データストリームを発生させる、アナログ／デジタル変換回路にフィードする、複数の生体信号取得チャネル
を備える、装置。
【請求項２】
前記患者内を流動する環境雑音電流をシャントさせるように、電位を介して前記患者を能動的に駆動する電位バイアス回路をさらに備える、請求項１に記載の装置。
【請求項３】
前記患者内を流動する環境雑音電流をシャントさせるように、一定の正電位を介して前記患者を能動的に駆動する電位バイアス回路を備える、請求項１または２に記載の装置。
【請求項４】
前記患者内を流動する環境雑音電流をシャントさせるように、一定の負電位に前記患者を能動的に駆動する電位バイアス回路を備える、請求項１または２に記載の装置。
【請求項５】
前記電位バイアス回路は、
波形発生器と、
駆動回路であって、前記駆動回路は、前記患者内を流動する環境雑音電流をシャントさせるように、前記波形発生器に結合し、前記患者を交流電位に能動的に駆動する、駆動回路と
を備える、請求項２に記載の装置。
【請求項６】
前記電位バイアス回路は、前記患者上に設置される前記表面電極のうちの１つ以上のものと関連付けられたＤＣバイアス値を上回る最小の大きさを有する交流電位に前記患者を能動的に駆動する、請求項２または５に記載の装置。
【請求項７】
前記患者内を流動する環境雑音電流をシャントさせるように、前記患者を電位に能動的に駆動する電位バイアス回路を備え、可変電位の実質的部分は、負である、請求項１に記載の装置。
【請求項８】
１つ以上の対応する表面電極で終端する１つ以上のケーブルを結合するように構成されるコネクタを備える端子ブロックであって、前記１つ以上のケーブルはそれぞれ、所与の表面電極から受信される所与の生体電位信号を搬送する１つ以上の信号ワイヤをカプセル化する遮蔽層を備える、端子ブロックと、
前記電位バイアス回路の電位を印加するように前記１つ以上のケーブル毎に遮蔽層に結合される出力を有する雑音除去回路と
を備える、請求項１−７のいずれか１項に記載の装置。
【請求項９】
所与の表面電極とそれぞれ関連付けられる１つ以上のケーブルに結合するように構成される１つ以上のコネクタを備える端子ブロックであって、前記１つ以上のケーブルはそれぞれ、前記所与の表面電極から受信される所与の生体電位信号を搬送する１つ以上の信号ワイヤをカプセル化する遮蔽層を備える、端子ブロックと、
前記１つ以上の信号ワイヤにわたって搬送される前記所与の生体電位信号を受信する入力を有する雑音除去回路であって、前記除去回路は、出力を有し、前記出力は、前記１つ以上のコネクタを通して、前記１つ以上のケーブル毎に前記遮蔽層に結合し、前記受信された生体電位信号に対応する電位を印加する、雑音除去回路と
を備える、請求項１−７のいずれか１項に記載の装置。
【請求項１０】
前記生体電位チャネルは、１、２、３、４、５、６、７、８、９、１０、１１、および１２から成る群から選択されるチャネルの数を備える、請求項１−９のいずれか１項に記載の装置。
【請求項１１】
前記複数の生体電位チャネルは、３つの差動チャネルを備える、請求項１−１０のいずれか１項に記載の装置。
【請求項１２】
生体信号取得チャネルにそれぞれ対応する複数のアナログ／デジタル回路であって、前記各生体信号取得チャネルの各出力は、対応するアナログ／デジタル回路にフィードし、前記アナログ／デジタル回路は、同時にサンプリングし、所与の差動広帯域心臓位相勾配信号とそれぞれ関連付けられる複数の広帯域心臓位相勾配信号データストリームを発生させる、複数のアナログ／デジタル回路
をさらに備える、請求項１−１１のいずれか１項に記載の装置。
【請求項１３】
前記利得増幅器および前記複数のアナログ／デジタル回路は、同一の集積回路の一部である、請求項１２に記載の装置。
【請求項１４】
広帯域心臓位相勾配信号データを発生させる方法であって、前記方法は、
患者上にそれぞれ設置される複数の表面電極から増幅器の対合差動入力において受信される差動生体電位信号を増幅させ、差動広帯域心臓位相勾配信号を発生させることであって、各差動生体電位信号は、１ｋＨｚを上回る前記発生された差動広帯域心臓位相勾配信号内の歪曲を生じさせるフィルタ処理を伴わずに増幅され、前記対合差動入力の各入力は、双極感知のために構成される、ことと、
５０Ｋｈｚを上回るサンプリング周波数で、各前記増幅された差動広帯域心臓位相勾配信号を同時にサンプリングし、差動広帯域心臓位相勾配信号データストリームを発生させることであって、前記増幅された差動広帯域心臓位相勾配信号は、前記増幅された差動広帯域心臓位相勾配信号のそれぞれの間に１μｓ未満の時間スキューを有するように、同時にサンプリングされる、ことと
を含む、方法。
【請求項１５】
信号取得基板であって、
多層プリント回路基板であって、
基準接地面としての役割を果たす第１の層と、
ケーブル遮蔽駆動電圧面としての役割を果たす前記第１の層と同一平面上にある第２の層と、
１つ以上の信号層であって、前記１つ以上の信号層は、実質的にそれを通して、かつ前記第２の接地層と一致し、同一平面上にある１つ以上の領域を横断して延設する、一対の伝導性トレースを有し、前記一対の伝導性トレースは、多層プリント回路に直接的にまたは間接的に添着されるコネクタを横断して、少なくとも２つの信号搬送導体の端部を、多層プリント回路の表面上に搭載されるアナログ／デジタル変換および増幅段の差動入力ピンに電気的に結合し、前記少なくとも２つの信号搬送導体のうちの第１の信号搬送導体は、第１のケーブルと関連付けられ、前記少なくとも２つの信号搬送導体のうちの第２の信号搬送導体は、第２のケーブルと関連付けられる、１つ以上の信号層と
を備える、多層プリント回路基板
を備え、
前記第２の接地層は、第１の外側導体および第２の外側導体の電位をケーブル駆動電圧面のものに駆動するように、前記少なくとも１つのコネクタにわたって、ｉ）前記第１のケーブルの外側遮蔽体としての役割を果たす第１の外側導体、およびｉｉ）前記第２のケーブルの外側遮蔽体としての役割を果たす第２の外側導体を電気的に結合する、
信号取得基板。
【請求項１６】
前記第１のケーブルおよび前記第２のケーブルは、単一のケーブルピンコネクタにおいて終端し、前記単一のケーブルピンコネクタは、前記信号取得基板のコネクタに解放可能に噛合するように構成される結合要素を有する、請求項１５に記載の信号取得基板。
【請求項１７】
前記一対の伝導性トレースは、前記一対の伝導性トレースのうちの各伝導性トレースの実質的な長さが相互と略平行であるように、前記１つ以上の信号層のうちの信号層の同一のセット上に、相互に近接近して配列される、請求項１５−１６のいずれか１項に記載の信号取得基板。
【請求項１８】
前記一対の伝導性トレースのうちの各伝導性トレースは、長さを有し、相互と実質的に類似するインピーダンス特性を有するように、同数のビアを有する、請求項１５−１７のいずれか１項に記載の信号取得基板。
【請求項１９】
前記一対の伝導性トレースのうちの各伝導性トレースは、前記コネクタの個別のピンと前記アナログ／デジタル変換回路の個別の差動入力ピンとの間に配列されるインピーダンス要素を含み、前記一対の伝導性トレースは、前記インピーダンス要素とアンチエイリアスフィルタを形成するように、その間に結合される静電容量要素を有する、請求項１５−１８のいずれか１項に記載の信号取得基板。
【請求項２０】
前記多層プリント回路基板はさらに、接地遮蔽ケージとしての役割を果たす伝導性筐体を備え、前記伝導性筐体は、前記一対の伝導性トレースの実質的部分をカプセル化するように、前記第２の接地層の一部に跨架し、前記伝導性筐体は、前記多層プリント回路の表面に添着され、前記基準接地面に電気的に結合される、請求項１５−１９のいずれか１項に記載の信号取得基板。
【請求項２１】
前記アナログ／デジタル変換および増幅段は、内蔵プログラマブル利得増幅器（ＰＧＡ）を伴う１つ以上のアナログ／デジタルコンバータ（ＡＤＣ）を有する、単一の集積回路を備える、請求項１５−２０のいずれか１項に記載の信号取得基板。
【請求項２２】
前記一対の伝導性トレースのための前記アナログ／デジタル変換および増幅段は、増幅器回路に結合されるアナログ／デジタルコンバータ（ＡＤＣ）集積回路を備える、請求項１５−２０のいずれか１項に記載の信号取得基板。
【請求項２３】
前記多層プリント回路基板はさらに、
１つ以上のプロセッサと、前記１つ以上のプロセッサに結合される１つ以上のメモリ構成要素とを備え、前記１つ以上のプロセッサおよび前記１つ以上のメモリ構成要素は、前記第２の層のケーブル駆動電圧面と一致または重複しない前記多層プリント回路の表面の一部の上に配列される、請求項１５−２２のいずれか１項に記載の信号取得基板。
【請求項２４】
前記一対の伝導性トレースは、前記信号取得基板の第１の差動入力チャネルの一部を形成する、請求項１５−２３のいずれか１項に記載の信号取得基板。
【請求項２５】
第２の差動入力チャネルと、第３の差動入力チャネルとをさらに備え、前記第２の差動入力チャネルおよび前記第３の差動入力チャネルはそれぞれ、前記第２の接地層のケーブル駆動電圧面と一致し、同一平面上にある前記１つ以上の領域を横断して、実質的に前記１つ以上の信号層を通して延設する、一対の伝導性トレースを備え、前記第２の差動入力チャネルおよび前記第３の差動入力チャネルはそれぞれ、少なくとも１つの信号搬送導体と、前記信号搬送導体の外側遮蔽体としての役割を果たす外側導体とを有する、一対のケーブルに接続し、前記ケーブル駆動電圧面は、前記外側導体の電位を前記ケーブル駆動電圧面のものに駆動するように、前記少なくとも１つのコネクタにわたって、前記一対のケーブルの外側導体に電気的に結合する、請求項２４に記載の信号取得基板。
【発明の詳細な説明】
【技術分野】
【０００１】
（関連出願）
本願は、２０１７年３月２日に出願され“Ｍｅｔｈｏｄ  ａｎｄ  Ａｐｐａｒａｔｕｓ  ｆｏｒ  Ｗｉｄｅ−Ｐｈａｓｅ  Ｇｒａｄｉｅｎｔ  Ｓｉｇｎａｌ  Ａｃｑｕｉｓｉｔｉｏｎ”と題された米国仮出願第６２／４６６，３２２号に対する優先権およびその利益を主張するものであり、該米国仮出願は、その全体が参照により本明細書中に援用される。
【０００２】
本開示は、概して、非侵襲的に心臓機能等の身体の機能を推定するため、および疾患を正確に示し、区別するために（例えば、疾患の存在または非存在を予測するために）使用される、広帯域位相勾配信号を差動的に取得する、生体信号取得装置に関する。
【背景技術】
【０００３】
従来の心電図器具は、心臓の電気活動に関連する生体電位信号等の生体信号を取得および記録するように構成される。従来、そのような器具によって収集される総信号の大部分は、生物学的情報を欠いていると考えられると認められている。しかしながら、人体から放出される生理学的信号の完全スペクトル内には、疾患を正確に示し、区別するために使用され得る情報が隠されている。
【０００４】
これらの情報は、従来の心電図器具の雑音床に匹敵する、またはそれより低い信号電力を有する、生理学的信号内で捕捉され得るため、そのような情報は、これらの器具の測定された信号から抽出することが困難である、または判別不能である。いくつかの事例では、着目信号は、数マイクロボルト、他の事例では、さらにより小さい桁数を有する。そのようなレベルでは、人工無線周波数伝送等の外部エネルギー源からの干渉および自然に生じるもの、および測定器具自体の内部回路からのものが、そのような情報の取得および記録に影響を及ぼし得る。
【０００５】
必要とされるものは、そのうちのいくつかが上記に説明される、本技術分野における課題を克服する、デバイス、システム、および方法である。
【発明の概要】
【課題を解決するための手段】
【０００６】
本開示は、いくつかの実施形態では、約１μｓ未満のチャネル間の時間スキューを有して、他の実施形態では、約１０フェムト秒を上回らない時間スキューを有して同時にサンプリングされる、差動的に取得された広帯域位相勾配信号（例えば、広帯域心臓位相勾配信号、広帯域脳位相勾配信号）の捕捉（例えば、双極捕捉）を促進する。着目すべきこととして、例示されるシステムは、その中の情報に影響を及ぼさないように、位相空間ドメイン内の広帯域位相勾配信号の分析に非確定的に影響を及ぼし得る、取得された広帯域位相勾配信号内の非線形歪曲（例えば、位相歪曲等のあるフィルタを介して導入され得るもの）を最小限にする。
【０００７】
双極捕捉動作は、差動測定における使用のために、フィルタ処理（例えば、低周波数フィルタ処理）の必要性を低減させる、または排除するように、差動測定入力のダイナミックレンジを増加させ、それによって、そのようなフィルタ処理と関連付けられる付加的ハードウェア回路から導入され得る、電位非線形歪曲をさらに最小限にすることによって、取得された広帯域位相勾配信号の取得を改良する。差動測定の双極捕捉動作はまた、単一の増幅器の使用を介して、コモンモード雑音低減が、抵抗器およびコンデンサの公差および増幅器（例えば、オペアンプ）の対称性に基づく、単極信号を捕捉する一対の増幅器と比較して、コモンモード雑音を低減させる、または排除する。
【０００８】
さらに、遮蔽駆動回路および遮蔽駆動電圧面が、取得システムの低雑音および低干渉の動作を促進するために使用され得る。いくつかの実施形態では、取得システムは、１０μＶよりも良好な雑音性能を有する。
【０００９】
ある側面では、装置（例えば、生体信号取得器具（「ＢＳＡ器具」））が、開示される。本装置は、各生体信号取得チャネルが、（差動入力対の）入力毎に双極感知によって、患者（ヒトおよび試験動物等の哺乳類を含む）上に設置される一対の関連付けられた表面電極から受信される生体電位信号を差動的に増幅させ、差動的に取得される広帯域位相勾配信号（例えば、差動広帯域心臓勾配信号）を発生させるように構成される、利得増幅器を備える、複数の生体信号取得チャネル（例えば、３つのチャネル）を含み、各差動生体電位信号は、約１ｋＨｚを上回る発生された差動広帯域心臓位相勾配信号内の歪曲を生じさせるフィルタ処理を伴わずに増幅され、生体信号取得チャネルの各出力は、（例えば、約１μｓ未満のチャネル間の時間スキューを有して、または約１０フェムト秒を上回らない時間スキューを有して）生体信号取得チャネルのそれぞれ（例えば、約１０ＫＨｚを上回る、例えば、約４０Ｋｈｚ、約８０ＫＨｚ、約５００Ｋｈｚ、またはそれを上回る高いサンプリング周波数を有する）を同時にサンプリングし、差動広帯域心臓位相勾配信号データストリームを発生させる、アナログ／デジタル変換回路にフィードする。
【００１０】
いくつかの実施形態では、本装置はさらに、患者にわたって、またはその中で流動する環境雑音電流をシャントさせるように、可変電位を患者に能動的に印加する、電位バイアス回路を含む。いくつかの実施形態では、電位バイアス回路は、一定の正電位を患者に印加する。いくつかの実施形態では、電位バイアス回路は、患者を一定の負電位に駆動する。いくつかの実施形態では、電位バイアス回路は、患者を可変電位に駆動する。
【００１１】
いくつかの実施形態では、本装置は、患者にわたって、またはその中で流動する環境雑音電流をシャントさせるように、電位（例えば、一定電位、例えば、約１．５ＶＤＣまたは約−１．５ＶＡＣ＿ｒｍｓ変動する可変電位）を患者に能動的に印加する、電位バイアス回路を含む。いくつかの実施形態では、印加される可変電位は、約２．０ＶＡＣ＿ｒｍｓ、約１．８ＶＡＣ＿ｒｍｓ、約１．６ＶＡＣ＿ｒｍｓ、約１．４ＶＡＣ＿ｒｍｓ、約１．２ＶＡＣ＿ｒｍｓ、約１．０ＶＡＣ＿ｒｍｓ、約０．８ＶＡＣ＿ｒｍｓ、約０．６ＶＡＣ＿ｒｍｓ、約０．４ＶＡＣ＿ｒｍｓ、約０．２ＶＡＣ＿ｒｍｓ、約−０．２ＶＡＣ＿ｒｍｓ、約−０．４ＶＡＣ＿ｒｍｓ、約−０．６ＶＡＣ＿ｒｍｓ、約−０．８ＶＡＣ＿ｒｍｓ、約−１．０ＶＡＣ＿ｒｍｓ、約−１．２ＶＡＣ＿ｒｍｓ、約−１．４ＶＡＣ＿ｒｍｓ、約−１．６ＶＡＣ＿ｒｍｓ、約−１．８ＶＡＣ＿ｒｍｓ、および約−２．０ＶＡＣ＿ｒｍｓの値を有する。いくつかの実施形態では、印加される電位は、約＋０．５ＶＤＣ、約＋１．０ＶＤＣ、約＋１．５ＶＤＣ、約＋２．０ＶＤＣ、＋２．５ＶＤＣ、約＋３．０ＶＤＣ、約＋３．５ＶＤＣ、約＋４．０ＶＤＣ、約＋４．５ＶＤＣ、約＋５．０ＶＤＣ、約−０．５ＶＤＣ、約−１．０ＶＤＣ、約−１．５ＶＤＣ、約−２．０ＶＤＣ、−２．５ＶＤＣ、約−３．０ＶＤＣ、約−３．５ＶＤＣ、約−４．０ＶＤＣ、約−４．５ＶＤＣ、約−５．０ＶＤＣの値を有する。
【００１２】
いくつかの実施形態では、電位バイアス回路は、波形発生器（例えば、構成可能波形発生器）と、波形発生器に結合し、患者内を流動する環境雑音電流をシャントさせるように、交流電位（例えば、約−１．０ＶＤＣ〜約−２．０ＶＤＣまたは約＋１．０〜約＋２．０ＶＤＣ）を患者に能動的に印加する、駆動回路（例えば、コモンモード増幅器）とを含む。
【００１３】
いくつかの実施形態では、電位バイアス回路は、患者上に設置される表面電極のうちの１つ以上のものと関連付けられるＤＣバイアス値を上回る最小の大きさを有する、交流電位を能動的に印加する（例えば、１つ以上の表面電極は、半電池電位を有する）。
【００１４】
いくつかの実施形態では、本装置は、患者上または内で流動する環境雑音電流をシャントさせるように、可変電位を患者に能動的に印加する、電位バイアス回路を含み、可変電位の実質的部分（例えば、約７５％を上回る）は、負である。
【００１５】
いくつかの実施形態では、本装置は、患者上または内で流動する環境雑音電流をシャントさせるように、一定電位を患者に能動的に印加する、電位バイアス回路を含む。
【００１６】
いくつかの実施形態では、本装置は、所与の表面電極と関連付けられるケーブルに結合するように構成される、少なくとも１つのコネクタを備える、（例えば、所与のケーブルのための）端子ブロックであって、ケーブルは、所与の表面電極から受信される所与の生体電位信号を搬送する１つ以上の信号ワイヤをカプセル化する、遮蔽層（例えば、遮蔽層は、表面電極で終端しない、またはそこに接続しない）を備える、端子ブロックと、電位バイアス回路の電位をケーブルの遮蔽層およびケーブル遮蔽駆動電圧面に印加し、遮蔽層上で誘発される雑音の多い電流のための帰還パスを可能にする、雑音除去回路（例えば、ユニティ利得増幅器）とを含む。
【００１７】
いくつかの実施形態では、本装置は、それぞれ個々に、表面電極と関連付けられたケーブルの遮蔽体に結合する、１つ以上の端子ブロックと、投入された信号がケーブル内で搬送される信号に略合致する（例えば、少なくとも約９０％以内）ように、ケーブル内で搬送される信号をケーブルの遮蔽体に投入する、遮蔽等化回路とを含む。
【００１８】
いくつかの実施形態では、生体信号取得チャネルのそれぞれの利得増幅器は、それぞれが所与の表面電極と関連付けられるケーブルを結合する、複数のコネクタを備える、（例えば、所与のケーブルのための）端子ブロックに直接結合する。
【００１９】
いくつかの実施形態では、生体信号取得チャネルはそれぞれ、アナログ／デジタル回路を用いて、約０．３μＶ／ビットを上回る測定分解能を提供する利得を伴って、受信された生体電位信号を増幅させるように構成される、利得増幅器を備える（例えば、アナログ／デジタル回路は、少なくとも約１２ビットのビット分解能を提供する）。
【００２０】
いくつかの実施形態では、利得増幅器は、単一電圧源（例えば、約＋１．５ＶＤＣ、約＋３ＶＤＣ、約＋３．３ＶＤＣ、約＋５ＶＤＣ、約＋１２ＶＤＣ、および約＋１５ＶＤＣ、約−１．５ＶＤＣ、約−３ＶＤＣ、約−３．３ＶＤＣ、約−５ＶＤＣ、約−１２ＶＤＣ、および約−１５ＶＤＣ）によって給電される。
【００２１】
いくつかの実施形態では、生体電位チャネルは、２、３、４、５、６、７、８、９、１０、１１、および１２から成る群から選択されたチャネルの数を備える（例えば、ケーブルおよび表面電極の数は、チャネルの数＋１の２分の１、例えば、コモンモード基準ケーブルおよび表面電極に対応する）。
【００２２】
いくつかの実施形態では、各生体信号取得チャネルのアナログ／デジタル回路は、約２マイクロボルト（μＶ）／ビット未満の分解能および約５，０００ヘルツを上回るレートで、少なくとも約５ミリボルト（ｍＶ）の事前に定義された電圧範囲にわたって広帯域心臓位相勾配信号をサンプリングするように構成され、生体信号取得チャネルは、１マイクロ秒（μｓ）未満のチャネル間の時間スキューを伴って同時にサンプリングされ、各生体信号取得チャネルは、約１５ｄＢを上回る（例えば、２０ｄＢを上回る）信号対雑音比を備える。
【００２３】
いくつかの実施形態では、各生体信号取得チャネルは、電極筐体内の所与の表面電極に直接結合する、利得増幅器回路（例えば、利得増幅器回路基板またはフレックス回路）を備える。
【００２４】
いくつかの実施形態では、所与の電極筐体と関連付けられる各利得増幅器回路は、第２の筐体内に位置する対応するアナログ／デジタル回路にフィードし、第２の筐体は、ケーブルを介して、所与の電極筐体に接続される。
【００２５】
いくつかの実施形態では、本装置はさらに、生体信号取得チャネルにそれぞれ対応する、複数のアナログ／デジタル回路を備え、各生体信号取得チャネルの各出力は、対応するアナログ／デジタル回路にフィードし、アナログ／デジタル回路は、同時にサンプリングし、所与の差動広帯域心臓位相勾配信号とそれぞれ関連付けられる複数の広帯域心臓位相勾配信号データストリームを発生させる。
【００２６】
別の側面では、広帯域心臓位相勾配信号データを発生させる方法が、開示される。本方法は、患者上にそれぞれ設置される複数の表面電極から受信される、取得された生体電位信号を差動的に増幅させ（例えば、利得増幅器回路）、広帯域心臓位相勾配信号を発生させるステップであって、各差動生体電位信号は、約１ｋＨｚを上回る発生された差動広帯域心臓位相勾配信号内の歪曲を生じさせるフィルタ処理を伴わずに増幅され、対合差動入力の各入力は、双極感知のために構成される、ステップと、５０Ｋｈｚを上回るサンプリング周波数で、増幅された差動広帯域心臓位相勾配信号のそれぞれを同時にサンプリングし（例えば、ＡＤコンバータ）、差動広帯域心臓位相勾配信号データストリームを発生させるステップであって、増幅された差動広帯域心臓位相勾配信号は、増幅された広帯域心臓位相勾配信号のそれぞれの間に１μｓ未満の時間スキューを有するように、同時にサンプリングされる、ステップとを含む。
【００２７】
別の側面では、信号取得基板が開示される。信号取得基板は、基準接地面としての役割を果たす、第１の層と、ケーブル駆動電圧面としての役割を果たす（例えば、約＋１．５Ｖの電位を有する）、第１の層と同一平面上にある第２の層と、実質的にそれを通して、かつ第２の層と一致し、同一平面上にある１つ以上の領域を横断して延設する、一対の伝導性トレース（例えば、低インピーダンストレース）を有する、１つ以上の信号層であって、一対の伝導性トレースは、多層プリント回路に直接的にまたは間接的に添着されるコネクタを横断して、少なくとも２つの信号搬送導体の端部を、多層プリント回路の表面上に搭載されるアナログ／デジタル変換および増幅段の差動入力ピンに電気的に結合し、少なくとも２つの信号搬送導体のうちの第１の信号搬送導体は、第１のケーブルと関連付けられ、少なくとも２つの信号搬送導体のうちの第２の信号搬送導体は、第２のケーブルと関連付けられる、１つ以上の信号層とを備える、多層プリント回路基板を含み、第２の層は、第１の外側導体および第２の外側導体の電位をケーブル駆動電圧面のものに駆動するように、少なくとも１つのコネクタにわたって、ｉ）第１のケーブルの外側遮蔽体としての役割を果たす第１の外側導体、およびｉｉ）第２のケーブルの外側遮蔽体としての役割を果たす第２の外側導体を電気的に結合する。
【００２８】
いくつかの実施形態では、第１のケーブルおよび第２のケーブルは、単一のケーブルピンコネクタにおいて終端し、単一のケーブルピンコネクタは、信号取得基板のコネクタに解放可能に噛合するように構成される結合要素を有する。
【００２９】
いくつかの実施形態では、一対の伝導性トレースは、一対の伝導性トレースのうちの各伝導性トレースの実質的な長さが相互と略平行であるように、１つ以上の信号層のうちの信号層の同一のセット上に、相互に近接近して配列される。
【００３０】
いくつかの実施形態では、一対の伝導性トレースのうちの各伝導性トレースは、長さを有し、相互と実質的に類似するインピーダンス特性を有するように、同数のビアを有する。
【００３１】
いくつかの実施形態では、一対の伝導性トレースのうちの各伝導性トレースは、コネクタの個別のピンとアナログ／デジタル変換回路の個別の差動入力ピンとの間に配列されるインピーダンス要素（例えば、単一の１０ｋΩ抵抗器）を含み、一対の伝導性トレースは、インピーダンス要素とアンチエイリアスフィルタを形成するように、その間に結合される静電容量要素を有する。
【００３２】
いくつかの実施形態では、多層プリント回路基板はさらに、接地遮蔽ケージとしての役割を果たす伝導性筐体を備え、伝導性筐体は、一対の伝導性トレースの実質的部分をカプセル化するように、第２の層の一部に跨架し、伝導性筐体は、多層プリント回路の表面に添着され、基準接地面に電気的に結合される。
【００３３】
いくつかの実施形態では、アナログ／デジタル変換および増幅段は、内蔵プログラマブル利得増幅器（ＰＧＡ）を伴う１つ以上のアナログ／デジタルコンバータ（ＡＤＣ）を有する、単一の集積回路を備える。
【００３４】
いくつかの実施形態では、一対の伝導性トレースのためのアナログ／デジタル変換および増幅段は、増幅器回路に結合されるアナログ／デジタルコンバータ（ＡＤＣ）集積回路を備える。
【００３５】
いくつかの実施形態では、多層プリント回路基板はさらに、１つ以上のプロセッサと、１つ以上のプロセッサに結合される１つ以上のメモリ構成要素とを備え、１つ以上のプロセッサおよび１つ以上のメモリ構成要素は、第２の層のケーブル駆動電圧面と一致または重複しない、多層プリント回路の表面の一部の上に配列される。
【００３６】
いくつかの実施形態では、一対の伝導性トレースは、信号取得基板の第１の差動入力チャネルの一部を形成する。
【００３７】
いくつかの実施形態では、請求項の信号取得基板はさらに、第２の差動入力チャネルと、第３の差動入力チャネルとを備え、第２の差動入力チャネルおよび第３の差動入力チャネルはそれぞれ、第２の層のケーブル駆動電圧面と一致し、同一平面上にある１つ以上の領域を横断して、実質的に１つ以上の信号層を通して延設する、一対の伝導性トレースを備え、第２の差動入力チャネルおよび第３の差動入力チャネルはそれぞれ、少なくとも１つの信号搬送導体と、信号搬送導体の外側遮蔽体としての役割を果たす外側導体とを有する、一対のケーブルに接続し、ケーブル駆動電圧面は、外側導体の電位をケーブル駆動電圧面のものに駆動するように、少なくとも１つのコネクタにわたって、一対のケーブルの外側導体に電気的に結合する。
【図面の簡単な説明】
【００３８】
本発明の実施形態は、付随する図面と併せて熟読されると、以下の発明を実施するための形態からさらに理解され得る。例証目的のためにすぎない、そのような実施形態は、本発明の新規の明白ではない側面を描写する。図面は、以下の図を含む。
【００３９】
【図１】図１は、ある実施形態による、広帯域心臓位相勾配信号を差動的に取得するように構成される、例示的装置の略図である。
【００４０】
【図２】図２は、例証的実施形態による、広帯域心臓勾配信号（単極）の時系列表現の略図である。
【００４１】
【図３】図３は、ある実施形態による、周波数ドメインに示される図２の例示的な差動的に取得される広帯域心臓勾配信号データの略図である。
【００４２】
【図４Ａ】図４Ａは、例証的実施形態による、双極感知を伴う図１の生体信号取得チャネルの詳細な略図である。
【００４３】
【図４Ｂ】図４Ｂは、別の例証的実施形態による、双極感知を伴う図１の生体信号取得チャネルの詳細な略図である。
【００４４】
【図５】図５は、ある実施形態による、信号搬送導体および遮蔽導体の電位を合致させる方法の略図である。
【００４５】
【図６】図６は、例証的実施形態による、例示的システムの略図である。
【００４６】
【図７】図７は、双極感知動作の１つのチャネルのために構成される例示的計装用増幅器の略図である。
【００４７】
【図８】図８は、双極感知動作の複数のチャネルのために構成される計装用増幅器を伴う例示的集積回路の略図である。
【００４８】
【図９Ａ】図９Ａは、例証的実施形態による、差動的に取得される広帯域心臓位相勾配信号取得システムの回路図である。
【図９Ｂ】図９Ｂ、９Ｃ、９Ｄは、例証的実施形態による、差動的に取得される広帯域心臓位相勾配信号取得システムの回路図である。
【図９Ｃ】図９Ｂ、９Ｃ、９Ｄは、例証的実施形態による、差動的に取得される広帯域心臓位相勾配信号取得システムの回路図である。
【図９Ｄ】図９Ｂ、９Ｃ、９Ｄは、例証的実施形態による、差動的に取得される広帯域心臓位相勾配信号取得システムの回路図である。
【図９Ｅ】図９Ｅは、例証的実施形態による、差動的に取得される広帯域心臓位相勾配信号取得システムの回路図である。
【図９Ｆ】図９Ｆは、例証的実施形態による、差動的に取得される広帯域心臓位相勾配信号取得システムの回路図である。
【図９Ｇ】図９Ｇは、例証的実施形態による、差動的に取得される広帯域心臓位相勾配信号取得システムの回路図である。
【図９Ｈ】図９Ｈは、例証的実施形態による、差動的に取得される広帯域心臓位相勾配信号取得システムの回路図である。
【図９Ｉ】図９Ｉ、９Ｊ、９Ｋは、例証的実施形態による、差動的に取得される広帯域心臓位相勾配信号取得システムの回路図である。
【図９Ｊ】図９Ｉ、９Ｊ、９Ｋは、例証的実施形態による、差動的に取得される広帯域心臓位相勾配信号取得システムの回路図である。
【図９Ｋ】図９Ｉ、９Ｊ、９Ｋは、例証的実施形態による、差動的に取得される広帯域心臓位相勾配信号取得システムの回路図である。
【図９Ｌ】図９Ｌ、９Ｍ、９Ｎは、例証的実施形態による、差動的に取得される広帯域心臓位相勾配信号取得システムの回路図である。
【図９Ｍ】図９Ｌ、９Ｍ、９Ｎは、例証的実施形態による、差動的に取得される広帯域心臓位相勾配信号取得システムの回路図である。
【図９Ｎ】図９Ｌ、９Ｍ、９Ｎは、例証的実施形態による、差動的に取得される広帯域心臓位相勾配信号取得システムの回路図である。
【図９Ｏ】図９Ｏは、例証的実施形態による、差動的に取得される広帯域心臓位相勾配信号取得システムの回路図である。
【図９Ｐ】図９Ｐは、例証的実施形態による、差動的に取得される広帯域心臓位相勾配信号取得システムの回路図である。
【図９Ｑ】図９Ｑ、９Ｒ、９Ｓ、９Ｔは、例証的実施形態による、差動的に取得される広帯域心臓位相勾配信号取得システムの回路図である。
【図９Ｒ】図９Ｑ、９Ｒ、９Ｓ、９Ｔは、例証的実施形態による、差動的に取得される広帯域心臓位相勾配信号取得システムの回路図である。
【図９Ｓ】図９Ｑ、９Ｒ、９Ｓ、９Ｔは、例証的実施形態による、差動的に取得される広帯域心臓位相勾配信号取得システムの回路図である。
【図９Ｔ】図９Ｑ、９Ｒ、９Ｓ、９Ｔは、例証的実施形態による、差動的に取得される広帯域心臓位相勾配信号取得システムの回路図である。
【００４９】
【図１０Ａ】図１０Ａは、ある実施形態による、図９の差動的に取得される広帯域心臓位相勾配信号取得システムを含む、例示的生体信号取得（「ＢＳＡ」）基板の略図である。
【００５０】
【図１０Ｂ】図１０Ｂは、ある実施形態による、例示的生体信号取得基板のトレーシングの詳細を示す、略図である。
【００５１】
【図１０Ｃ】図１０Ｃおよび１０Ｄは、生体信号取得基板の付加的な図を示す。
【図１０Ｄ】図１０Ｃおよび１０Ｄは、生体信号取得基板の付加的な図を示す。
【００５２】
【図１１Ａ】図１１Ａは、ある実施形態による、図１０ＡのＢＳＡ基板を含む、例示的ＢＳＡ器具の写真である。
【００５３】
【図１１Ｂ】図１１Ｂは、ある実施形態による、図１０ＡのＢＳＡ基板を含む、例示的ＢＳＡ器具の分解未組立図を伴う略図である。
【００５４】
【図１２Ａ】図１２Ａおよび１２Ｂは、例証的実施形態による、差動的に取得される広帯域心臓位相勾配信号データと関連付けられる生体電位信号を取得するための患者の胸部および背部における表面電極の例示的設置の略図である。
【図１２Ｂ】図１２Ａおよび１２Ｂは、例証的実施形態による、差動的に取得される広帯域心臓位相勾配信号データと関連付けられる生体電位信号を取得するための患者の胸部および背部における表面電極の例示的設置の略図である。
【００５５】
【図１３】図１３は、例証的実施形態による、ＢＳＡ器具の例示的動作である。
【発明を実施するための形態】
【００５６】
図面中の構成要素は、必ずしも、相互に対して正確な縮尺ではなく、同様の参照番号は、いくつかの図全体を通して対応する部品を指定する。
【００５７】
図１は、ある実施形態による、広帯域心臓位相勾配信号を差動的に取得するように構成される、例示的装置１００の略図である。図１に示されるように、装置１００は、患者の胸部および／または背部１０８から広帯域心臓位相勾配信号を差動的に取得するように、対応する一対の表面電極１０６（表面電極１０６ａ、１０６ｂ、１０６ｃ、１０６ｄ等として示される）にそれぞれ動作可能に結合される、いくつかの生体信号取得チャネル１０４（「生体信号取得チャネル０」１０４ａおよび「生体信号取得チャネル１」１０４ｂとして示される）を含む。いくつかの実施形態では、装置１００は、ＸＹＺリード線測定のための３つの生体信号取得チャネル１０４を含む。
【００５８】
いくつかの実施形態では、生体信号取得チャネル１０４は、他の場所において、例えば、患者の頭部において、広帯域位相勾配信号（例えば、広帯域脳位相勾配信号）を差動的に取得するように構成される。他の実施形態では、広帯域位相勾配信号は、例えば、標的器官に近接して、身体の他の面積から差動的に取得される。
【００５９】
双極感知は、そこから導出されるベクトル心電図（ＶＣＧ）が、基準位置の任意の選択肢において安定している（すなわち、測定がリード線位置に敏感ではない）、広帯域心臓位相勾配信号の真の差動ＸＹＺリード線測定を提供する。装置１００のリード線は、極性を有し、身体表面上の具体的場所に設置される。基準リード線（「ＣＭ電極」１２２として示される）が、雑音を低減させるために使用される。
【００６０】
双極感知は、アナログ／デジタルコンバータ（ＡＤＣ）の内部対称性に基づいて、コモンモード雑音を低減させる、または排除する、差動測定を促進し、非常に高いコモンモード除去を用いて、２つの点の間の電位差のみを増幅させる。双極感知は、高い静的利得正確度も提供する、差動測定を促進する。
【００６１】
依然として図１を参照すると、各生体信号取得チャネル１０４は、双極入力を介して、所与の増幅器回路において受信される差動生体電位信号を増幅させ、殆どまたは全く非線形歪曲を信号経路の中に導入させない広帯域心臓位相勾配信号に対応する、差動生体電位信号１１２（「ＢＩＯ＿ＳＩＧ０」１１２ａ、「ＢＩＯ＿ＳＩＧ１」１１２ｂ等）を発生させる、１つ以上の増幅器回路１１０（例えば、計装クラス増幅器）（図示せず、図４Ａまたは４Ｂを参照）を含む。
【００６２】
そのような非線形歪曲の実施例は、位相空間ドメイン内の広帯域心臓位相勾配信号を歪曲させ得る異なる周波数において信号に影響を及ぼし得る、位相歪曲を含む。加えて、非線形歪曲は、異なる取得チャネル間の信号経路内の変動性を含む。
【００６３】
図１に示されるように、生体信号取得チャネル１０４は、増幅された差動生体電位信号１１２ａ、１１２ｂを、差動的に取得される広帯域心臓位相勾配信号と関連付けられる時系列データ（「ＢＩＯ＿ＳＩＧ＿ＤＡＴＡ０」１１６ａ、「ＢＩＯ＿ＳＩＧ＿ＤＡＴＡ１」１１６ｂ等として示される）に変換するように、サンプリングされた信号のそれぞれの間の時間スキューが約１μｓ未満であるように同時にサンプリングされ、（例えば、位相空間ドメイン内の）後続分析のためにコントローラ１１８によって受信される、対応するアナログ／デジタル変換回路１１４（１１４ａ、１１４ｂ等として示される）に結合される。いくつかの実施形態では、生体信号取得チャネル１０４は、約１０フェムト秒を上回らない時間スキューを伴って取得された信号を同時にサンプリングするように構成される。
【００６４】
コントローラ１１８は、患者からの生体信号の取得および記録を管理し、いくつかの実施形態では、遠隔データ記憶場所（例えば、記憶エリアネットワーク）への記録された情報（例えば、生体信号、器具識別、および患者識別を含む）の伝送を管理する。いくつかの実施形態では、コントローラ１１８は、患者からの生体信号の取得および記録を管理し、コンピューティングデバイスとインターフェースをとり、記録された情報（例えば、生体信号、器具識別、および患者識別を含む）を遠隔データ記憶場所に伝送する。いくつかの実施形態では、処理は、限定ではないが、取得された生体電位信号から発生される、差動的に取得される広帯域心臓位相勾配信号から、駆出率（パーセンテージ単位）を予測する、虚血負荷を査定する、および／または冠動脈疾患を検出することを含む、心臓性能を決定するために、記憶されたデータセットに実施される。いくつかの実施形態では、コントローラ１１８は、患者からの生体信号の取得および記録を管理し、例えば、ローカルで、または遠隔で、生体信号の処理を管理し、結果をコントローラに動作可能に接続されるグラフィカルユーザインターフェース上に提示する。
【００６５】
いくつかの実施形態では、システム１００は、パルスオキシメータ（ＰＯ２）センサ１３０とともに動作し、酸素飽和読取値を収集する、パルスオキシメータ回路１２８を含む。収集される酸素飽和読取値は、差動的に取得される広帯域心臓位相勾配信号データの分析を拡張させるために使用されてもよい。いくつかの実施形態では、酸素飽和読取値と関連付けられるデータは、広帯域心臓位相勾配信号データの取得と並行して収集される。他の実施形態では、酸素飽和読取値と関連付けられるデータは、独立して、収集される。他のセンサまたは特徴もまた、含まれてもよい。
【００６６】
依然として図１の実施形態を参照すると、各アナログ／デジタル変換回路１１４ａまたは１１４ｂは、同時にサンプリングし、他の生体信号取得チャネルと約１μｓ未満（例えば、約１０ｆｓ（フェムト秒）を上回らない）の時間スキューを有するように構成される、高速シグマ−デルタコンバータを含む。アナログ／デジタル変換回路１１４の出力は、好ましくは、コントローラ１１８に提供されるシリアルデータストリーム（シリアルデジタルストリーム）である。コントローラ１１８は、いくつかの実施形態では、事前に定義された周期にわたって取得されたデータ１１６ａ、１１６ｂ（差動的に取得される広帯域心臓位相勾配信号と関連付けられる）を集約し、収集されたデータをリポジトリ（例えば、記憶エリアネットワーク）に伝送するように構成される。いくつかの実施形態では、取得されたデータ１１６ａ、１１６ｂは、ファイルの中で時系列データとして伝送される。いくつかの実施形態では、伝送は、取得イベントの合間にのみ実施される。いくつかの実施形態では、ファイルは、１つ以上の、例えば、時系列データ、器具識別データ、器具性能データ、および／または患者識別データを含む。
【００６７】
他の実施形態では、コントローラ１１８は、次いで、ローカルで処理される、取得されたデータ１１６ａ、１１６ｂを記憶するように構成される。いくつかの実施形態では、取得されたデータは、取得システムによって処理され、次いで、収集されたデータとして（例えば、時系列データとして）リポジトリに伝送される。各差動的に取得される広帯域心臓位相勾配信号データセットは、約１００秒〜約２００秒の持続時間周期を有してもよい。
【００６８】
差動的に取得される広帯域心臓位相勾配信号データは、いくつかの実施形態では、１ＫＨｚ（キロヘルツ）を上回るサンプリング周波数を有する、広範囲の周波数を備える。いくつかの実施形態では、差動的に取得される広帯域心臓位相勾配信号データは、約５ＫＨｚを上回るサンプリング周波数を備える。いくつかの実施形態では、広帯域心臓位相勾配信号データは、約１０ＫＨｚを上回るサンプリング周波数を備える。いくつかの実施形態では、差動的に取得される広帯域心臓位相勾配信号データは、約４０ＫＨｚを上回るサンプリング周波数を備える。いくつかの実施形態では、広帯域心臓位相勾配信号データは、約８０ＫＨｚを上回るサンプリング周波数を備える。いくつかの実施形態では、差動的に取得される広帯域心臓位相勾配信号データは、約５００ＫＨｚを上回るサンプリング周波数を備える。種々の実施形態では、差動的に取得される広帯域心臓位相勾配信号データは、サンプリングされた周波数のその範囲内で殆どまたは全く非線形歪曲を有していない。
【００６９】
加えて、差動的に取得される広帯域心臓位相勾配信号データは、約２μＶ（マイクロボルト）／ビット未満の分解能において、少なくとも約５ｍＶ（ミリボルト）の範囲を有する。いくつかの実施形態では、差動的に取得される広帯域心臓位相勾配信号データは、約１／２μＶ／ビットまたはそれ未満の分解能を有する。他のそのような範囲および分解能も、使用されてもよい。
【００７０】
１／２μＶは、殆どの従来の回路と関連付けられる熱雑音を下回るため、システム１００は、その独自の回路および無線周波数伝送等の外部エネルギー源からの干渉を低減させるためのいくつかの特徴を含む。差動的に取得される広帯域心臓位相勾配信号の雑音レベルは、そのような技法を用いて実装されたとき、概して、約１０μＶ未満であることが観察される。
【００７１】
図２は、ある実施形態による、時系列データとして示される例示的単極広帯域心臓位相勾配信号データ（２０２ａ、２０２ｂ、２０２ｃ等として示される）の略図である。差動的に取得される広帯域心臓位相勾配信号データは、これらの信号のうちの２つ（例えば、２０２ａおよび２０２ｂ、２０２ｃおよび２０２ｄ等）の間の差を示す。いくつかの実施形態では、患者は、コモンモード電位に能動的に駆動され、取得された生体電位信号は、コモンモード電位を含む。そのような実施形態では、差動的に取得される広帯域心臓位相勾配信号データは、例えば、差動取得方式を介して、または算出を介して、コモンモード基準が除去された、残存信号である。いくつかの実施形態では、差動的に取得される広帯域心臓位相勾配信号データは、増幅および正規化され、ハードウェア回路を介してコモンモード基準が除去されている。
【００７２】
図３は、ある実施形態による、周波数ドメインに示される、図２の例示的な差動的に取得される広帯域心臓位相勾配信号データの略図である。
【００７３】
従来の心電図（ＥＣＧ）のものを超えるエネルギーおよび周波数成分を有し、従来、ランダム雑音であるように知覚される、広帯域生体電位信号またはその差動信号は、具体的動脈およびその分岐の狭窄、虚血の識別、冠血流予備量比（ＦＦＲ）に関する推定値を含む、心臓の領域流動特性を査定するように、遺伝子アルゴリズム（および他の機械学習アルゴリズム）によって判別され得る、心臓生理学の測定可能データを含むことが発見された。（例えば、クリーニング技法をデータに適用し、雑音除去に先立つものと同一のデータ量をもたらすことによる）雑音除去は、信号処理における基本ステップである。しかしながら、例示される方法およびシステムは、信号の広帯域領域内の任意の雑音除去動作を伴わずに、得られる生体電位信号全体を処理する。従来、広帯域データ内の望ましくない雑音として知覚および／または分類されていたものは、多くの場合、着目信号である。実施されない雑音除去の実施例は、限定ではないが、とりわけ、アナログベースの低域通過フィルタ、帯域通過フィルタ、高域通過フィルタ、およびＦＩＲフィルタ、バターワースフィルタ、チェビシェフフィルタ、メディアンフィルタ等のデジタルベースのフィルタを含む。
【００７４】
着目情報を取得された広帯域信号から除去することに加え、ある回路要素は、差動的に取得される広帯域位相勾配信号の位相空間内の分析に影響を及ぼし得、例示されるシステムの信号経路の中に含まれない、または最小限にされる、非線形歪曲を導入し得る。例えば、あるアナログ通過フィルタ（例えば、上記で議論されるように、とりわけ、アナログベースの低域通過フィルタ、帯域通過フィルタ、高域通過フィルタ、例えば、ＦＩＲフィルタ、バターワースフィルタ、チェビシェフフィルタ、メディアンフィルタ等のデジタルベースのフィルタ）は、位相歪曲を導入し得、これは、非線形群遅延を複数の取得チャネル間にもたらし得るか、または、周波数依存歪曲を個々の取得チャネルに導入し得る。加えて、電界効果トランジスタ（例えば、ＭＯＳＦＥＴ）等のある回路要素は、不必要な静電容量およびゲート電界効果雑音を信号経路に導入し得る。加えて、（例えば、ツェナーダイオード内に）雪崩降伏効果を伴う、ある半導体および絶縁材料は、雪崩雑音を信号経路に導入し得る。
【００７５】
いくつかの実施形態では、信号は、位相線形動作を介して処理され、高周波数広帯域データの具体的側面の分析を可能にしてもよい。いくつかの実施形態では、信号は、完全に着目帯域外の周波数に影響を及ぼす動作または回路を介して処理されてもよい。いくつかの実施形態では、フィルタ処理されるこれらの周波数は、無線周波数範囲内であるかまたはそれを上回る。
【００７６】
図３に示されるように、広帯域心臓勾配信号は、従来の心電図測定より有意に高い、約１ｋＨｚを上回る周波数成分を有する。いくつかの実施形態では、差動広帯域心臓勾配信号は、最大約２ｋＨｚ（例えば、約０Ｈｚ〜約２ｋＨｚ）の周波数成分を有する。いくつかの実施形態では、差動広帯域心臓勾配信号は、最大約４ｋＨｚ（例えば、約０Ｈｚ〜約４ｋＨｚ）の周波数成分を有する。いくつかの実施形態では、差動広帯域心臓勾配信号は、最大約５ｋＨｚ（例えば、約０Ｈｚ〜約５ｋＨｚ）の周波数成分を有する。いくつかの実施形態では、差動広帯域心臓勾配信号は、最大６ｋＨｚ（例えば、約０Ｈｚ〜約６ｋＨｚ）の周波数成分を有する。いくつかの実施形態では、差動広帯域心臓勾配信号は、最大約７ｋＨｚ（例えば、約０Ｈｚ〜約７ｋＨｚ）の周波数成分を有する。いくつかの実施形態では、差動広帯域心臓勾配信号は、最大約８ｋＨｚ（例えば、約０Ｈｚ〜約８ｋＨｚ）の周波数成分を有する。いくつかの実施形態では、差動広帯域心臓勾配信号は、最大９ｋＨｚ（例えば、約０Ｈｚ〜約９ｋＨｚ）の周波数成分を有する。いくつかの実施形態では、差動広帯域心臓勾配信号は、最大１０ｋＨｚ（例えば、約０Ｈｚ〜約１０ｋＨｚ）の周波数成分を有する。いくつかの実施形態では、差動広帯域心臓勾配信号は、最大５０ｋＨｚ（例えば、約０Ｈｚ〜約５０ｋＨｚ）の周波数成分を有する。
【００７７】
図４Ａは、例証的実施形態による、双極感知を伴う生体信号取得チャネル１０４の略図である。生体信号取得チャネル１０４は、それぞれ、端子（４０４ａ、４０４ｂとして示される）に直接結合し、表面電極１０６ａ、１０６ｂに動作可能に結合する、第１の差動入力４０２ａと、第２の差動入力４０２ｂとを有する、演算増幅器１１０（例えば、計装クラス増幅器）を含む。生体信号取得チャネル１０４は、殆どまたは全く非線形歪曲（例えば、本明細書で議論されるもの等）が信号経路の中に導入されないように、構成される。この目的を達成するために、能動および受動フィルタは、動作中に導入され得る歪曲を低減させるように、好ましくは、信号経路内に設置されない、または最小限にされる。いくつかの実施形態では、（チャネルの入力への保護としての役割も果たす）単一のアンチエイリアスフィルタが、信号経路の中に含まれる。演算増幅器１１０は、好ましくは、約１５ｄＢ（デシベル）を上回る利得を提供し、差動的に取得される広帯域位相勾配信号を発生させる。いくつかの実施形態では、演算増幅器１１０は、約２０ｄＢを上回る利得を提供する。演算増幅器１１０の出力４１２は、いくつかの実施形態では、アナログ／デジタル変換回路１１４（例えば、シグマ−デルタＡＤＣ）に結合される。いくつかの実施形態では、演算増幅器１１０およびアナログ／デジタル変換回路１１４は、単一の集積回路の一部である。加えて、２つの端子として示されるが、端子４０４ａ、４０４ｂは、共通端子筐体の一部であってもよい。
【００７８】
いくつかの実施形態では、図４Ａに示されるように、各生体信号取得チャネル１０４は、能動雑音低減システムを採用する一対のケーブル１２４ａ、１２４ｂ（例えば、同軸ケーブル））にわたって、対合表面電極１０６ａ、１０６ｂの個別のセットに電気的に結合する。いくつかの実施形態では、能動雑音低減システムは、取得された信号がデジタル化されることに先立って、複数の回路基板を横断して信号を搬送するために使用される信号搬送導体を能動的に遮蔽するために使用される。
【００７９】
図４Ａでは、生体信号取得チャネル１０４は、表面電極１０６ａ、１０６ｂと演算増幅器１１０との間に配列されるケーブル１２４ａ、１２４ｂ内の信号搬送導体４０８ａ、４０８ｂを能動的に遮蔽する、能動雑音低減システムを含む。ケーブル１２４ａ、１２４ｂは、第１の導体４０８ａ、４０８ｂのセット（例えば、一対の撚線ワイヤ）と、個別の第１の導体４０８ａ、４０８ｂを囲繞する第２の伝導性層４０６ａ、４０６ｂのセット（すなわち、外側遮蔽体）とを含む。能動雑音低減システムは、投入された信号がケーブル内で搬送される信号に略合致する（例えば、少なくとも約９０％以内）ように、導体４０８ａ、４０８ｂ内で搬送される信号をケーブル１２４ａ、１２４ｂの遮蔽体４０６ａ、４０６ｂに投入する、演算増幅器４１０ａ、４１０ｂを備える、遮蔽等化回路（遮蔽駆動回路またはケーブル駆動回路とも称される）を含む。換言すると、能動雑音低減システムは、遮蔽体４０６ａ、４０６ｂを導体４０８ａ、４０８ｂと略同一電位に駆動し、これは、導体４０８ａ、４０８ｂと遮蔽体４０６ａ、４０６ｂとの間の電気漏出を低減させる。別の側面では、ケーブル（例えば、１２４ａ、１２４ｂ）の外側遮蔽体（例えば、４０６ａ、４０６ｂ）は、外側遮蔽体（例えば、４０６ａ、４０６ｂ）上で誘発される雑音の多い電流のための帰還パスを提供するように、遮蔽駆動電圧面４１６（ケーブル駆動電圧面とも称される）に電気的に結合される。
【００８０】
いくつかの実施形態では、演算増幅器４１０は、ユニティ利得増幅器として構成される。他の実施形態では、非ユニティ利得が、使用される。演算増幅器４１０ａ、４１０ｂの入力４１４ａ、４１４ｂは、端子４０４ａ、４０４ｂにも結合される、利得増幅器１１０の入力に結合される。演算増幅器４１０ａ、４１０ｂの出力は、ケーブル１２４ａ、１２４ｂの第２の伝導性層４０６ａ、４０６ｂに結合される。
【００８１】
図４Ｂは、別の例証的実施形態による、双極感知を伴う生体信号取得チャネル１０４の略図である。図４Ｂでは、信号搬送導体（例えば、４０８ａ、４０８ｂ）の全てまたは殆どからの平均電位が、生体信号取得チャネル毎にケーブル（例えば、１２４ａ、１２４ｂ）の外側遮蔽体４０６ａ、４０６ｂを駆動するために使用される、能動雑音低減システムが、使用される。図４Ｂに示されるように、演算増幅器４１０ａは、信号搬送導体（例えば、４０８ａ、４０８ｂ）のそれぞれに結合される、平均化回路４１８に結合される。信号搬送導体（例えば、４０８ａ、４０８ｂ）は、アナログ／デジタル変換回路１１４に結合される、利得増幅器１１０に結合される。図４Ｂでは、利得増幅器１１０およびアナログ／デジタル変換回路１１４は、同一のプリント回路基板上に配列される。いくつかの実施形態では、利得増幅器１１０およびアナログ／デジタル変換回路１１４は、単一の集積回路内で組み合わせられる。他の構成要素も、増幅器のための所望の利得出力を提供するように、利得増幅器１１０と配列されてもよい。
【００８２】
別の実施形態では、演算増幅器４１０ａは、取得された差動広帯域心臓勾配信号の入力を平均化することによって、アナログ出力信号を発生させる、マイクロコントローラの増幅器出力の出力に結合される。
【００８３】
いくつかの実施形態では、外側遮蔽体（例えば、４０６ａ、４０６ｂ）は、外側遮蔽体（例えば、４０６ａ、４０６ｂ）上で誘発される雑音の多い電流のための帰還パスを提供するように、遮蔽駆動電圧面４１６に電気的に結合される。
【００８４】
いくつかの実施形態では、能動雑音低減システムは、単一の信号搬送導体（例えば、４０８ａまたは４０８ｂ）の電位を使用し、全ての生体信号取得チャネルの全てのケーブル（４０８ａ、４０８ｂ等）のための外側遮蔽体を駆動する。
【００８５】
図５は、例証的実施形態による、遮蔽等化回路の動作を図示する、略図である。図５に示されるように、ケーブル１２４の遮蔽体導体４０６は、信号導体４０８を囲繞し、演算増幅器（例えば、４１０ａ）によって、信号導体４０８のものに合致または略合致する電位に駆動される。例えば、信号導体４０８が約＋１．５Ｖの電位を搬送する場合、演算増幅器（例えば、４１０ａ）は、遮蔽体導体４０６も約＋１．５Ｖに駆動する。信号導体４０８と遮蔽体導体４０６との間の電位が、合致または略合致するため、それらの間の誘電電場は、最小限にされる。この目的を達成するために、外部干渉からの遮蔽導体４０６の摂動に起因して遮蔽導体４０６によって信号導体４０８に導入される摂動は、制振される。
【００８６】
例示的雑音除去サブシステム
【００８７】
差動的に取得される広帯域心臓勾配信号１１２の信号品質を改良するために、例示されるシステム１００（例えば、図１に示されるような）は、いくつかの実施形態では、生体電位測定に干渉し得る、患者の身体内を流動する環境雑音電流を排除または低減させる、雑音除去システム１２０を含む。雑音除去システム１２０は、患者の身体を、通常動作中に環境雑音電流をシャントさせる電位に能動的に駆動するように構成される。環境雑音は、とりわけ、近傍電子機器、伝送デバイス、およびローカルＡＣ電力システムを含む、種々の環境源から発生され得る。これらの源のうちのいずれかまたは全ては、測定電極において、患者の生体電位を測定不能にする、または測定の分解能を低減させ得る、電圧を発生させ得る。
【００８８】
図１に示されるように、雑音除去システム１２０は、身体１０８の表面と電気接触する（例えば、直接的に、または伝導性ゲルまたはペーストを介して）、表面電極１２２に動作可能に結合される。いくつかの実施形態では、雑音除去システム１２０は、可変電位、例えば、２つの負電位値間で変動する電位を、身体１０８に能動的に印加する。
【００８９】
いくつかの実施形態では、表面電極（例えば、１０６ａ、１０６ｂ、１０６ｃ、１０６ｄ、１２２）は、差動的に取得される広帯域心臓位相勾配信号を測定するとき、半電池電位を信号経路内に形成し得る、ゲルまたは他の結合媒体またはデバイスと併用されてもよい。例えば、塩化銀ゲルは、３００ｍＶバイアスを信号経路内に導入し得る。いくつかの実施形態では、雑音除去システム１２０は、負電位値の大きさが、表面電極と関連付けられる、予期される半電池電位ＤＣバイアス値を上回るように、身体１０８を、２つの負電位値間で変動する可変電位に能動的に駆動する。
【００９０】
依然として図１を参照すると、雑音除去システム１２０は、ケーブル１２４ｅを介して、身体１０８上に設置されるコモンモード電極１２２に電気的に結合される。いくつかの実施形態では、例えば、生体信号取得チャネルにおいて使用されるものに類似する、能動雑音低減システムが、コモンモード表面電極１２２と雑音除去システム１２０との間のケーブル１２４ｅ内の信号搬送導体を能動的に遮蔽するために使用される。他の実施形態では、ケーブル１２４ｅの遮蔽導体がシステム１００の接地面に結合される、受動遮蔽体が、使用される。
【００９１】
雑音除去システム１２０は、いくつかの実施形態では、波形発生器と、演算増幅器とを含む。いくつかの実施形態では、波形発生器は、固定周波数発振器である。他の実施形態では、波形発生器は、例えば、コントローラ１１８から出力される制御信号に基いて、周波数および振幅範囲内で変動し得る、アナログ出力を発生させるように電子的にプログラム可能である、マイクロコントローラである。図１では、雑音除去システム１２０は、制御ライン１２６を介して、コントローラ１１８に動作可能に結合されて示される。
【００９２】
いくつかの実施形態では、雑音除去システム１２０は、身体１０８を、負電位値と正電位値との間で変動する、可変電位に能動的に駆動する。
【００９３】
いくつかの実施形態では、雑音低減システム１２０は、身体１０８を、２つの正電位値間で変動する、可変電位に能動的に駆動する。
【００９４】
他の実施形態では、雑音低減システム１２０は、身体を、一定電位（例えば、約−１．５ＶＤＣ〜約＋１．５ＶＤＣの値または約−３．０ＶＤＣ〜約＋３ＶＤＣの値）に能動的に駆動する。
【００９５】
例示的ＢＳＡシステム
【００９６】
図６は、例証的実施形態による、例示的システム１００の略図である。図６に示されるように、システム１００は、図１に関連して説明されるように、生体信号取得チャネル１０４を含む、第１段混合信号基板６０２を含む。第１段混合信号基板６０２は、増幅された生体電位信号１１２を搬送する１つ以上のケーブル４１８にわたって、第２段混合信号基板６０４に動作可能に結合される。第２段混合信号基板６０４は、図１に関連して説明されるように、アナログ／デジタル変換回路１１４と、コントローラ１１８とを含む。第２段混合信号基板６０４は、装置１００のための通信およびインターフェース機能性を提供する、第３段コントローラ基板６０６に通信する。
【００９７】
図６に示されるように、第２段混合信号基板６０４は、メモリ６０８と、インターフェース回路６１０とを含む。メモリ６０８は、データ１１６が、第３段コントローラ基板６０６に送信され、遠隔記憶装置に伝送されることに先立って、所与の測定に関する差動的に取得される広帯域心臓位相勾配信号データと関連付けられる、取得された生体電位信号データ１１６をローカルで記憶する。インターフェース回路６１０は、いくつかの実施形態では、光学アイソレータ等の通信隔離回路と、限定ではないが、電力および接地のため等の他の隔離回路とを含む。第３段コントローラ基板６０６は、集合的に、第２段混合信号基板６０４と動作し、そこで取得された差動広帯域心臓位相勾配信号データをオフロードし、例えば、無線通信を介して、遠隔記憶装置（例えば、クラウド内のリポジトリ）に伝送するように構成される、プロセッサ６１２と、メモリ６１４と、通信送受信機６１６と、インターフェース回路６１８とを含む。いくつかの実施形態では、第３段コントローラ基板６０６は、そこで取得された差動的に取得される広帯域心臓位相勾配信号データを分析し、分析の出力をそれと関連付けられるグラフィカルユーザインターフェースに提示するように構成される。いくつかの実施形態では、第３段コントローラ基板６０６は、カスタムコンピューティングデバイスの一部である。他の実施形態では、第３段コントローラ基板６０６は、一般的コンピューティングデバイスの一部である。
【００９８】
いくつかの実施形態では、第１段混合信号基板６０２、第２段混合信号基板６０４、および第３段コントローラ基板６０６は、単一のプリント回路基板の一部である。
【００９９】
図７は、双極感知動作の１つのチャネルのために構成される例示的計装用増幅器の略図である。計装用増幅器は、ゼロドリフト計装用増幅器（例えば、Ｔｅｘａｓ  Ｉｎｓｔｒｕｍｅｎｔｓ，  Ｉｎｃ．（Ｄａｌｌａｓ，  ＴＸ）製のＩＮＡ１８８集積回路）である。
【０１００】
図８は、双極感知動作の複数のチャネルのために構成される計装用増幅器を伴う例示的集積回路の略図である。集積回路は、統合ＥＣＧフロントエンドを伴う、６チャネル、２４ビットのＡＤＣ（例えば、Ｔｅｘａｓ  Ｉｎｓｔｒｕｍｅｎｔｓ，  Ｉｎｃ．（Ｄａｌｌａｓ，  ＴＸ）製のＡＤＳ１２９６集積回路）である。集積回路は、内蔵プログラマブル利得増幅器（ＰＧＡ）を伴うデルタ−シグマアナログ／デジタルコンバータを有する。
【０１０１】
例示的生体信号取得回路
【０１０２】
図９Ａ、９Ｂ、９Ｃ、９Ｄ、９Ｅ、９Ｆ、９Ｇ、９Ｈ、９Ｉ、９Ｊ、９Ｋ、９Ｌ、９Ｍ、９Ｎ、９Ｏ、９Ｐ、９Ｑ、９Ｒ、９Ｓ、９Ｔ、および９Ｖは、例証的実施形態による、双極動作を伴うプロトタイプ広帯域心臓位相勾配信号取得システム９００の回路図である。
【０１０３】
具体的には、図９Ａは、システム９００の高レベルの略図を示す。図９に示されるように、システム９００は、差動的に取得される広帯域心臓位相勾配信号と関連付けられる生体電位信号データを取得する、生体電位取得回路９０２に結合する、メインコントローラ９１０を含む。メインコントローラ９１０は、図１に関連して説明されるようなコントローラ１１８の機能を果たしてもよい。メインコントローラ９１０は、オキシメトリデータを取得する、パルスオキシメトリ回路９０４に結合する。システム９００はさらに、試験および開発のために通信をメインコントローラ１１８に提供するように構成される、ＵＳＢインターフェース回路９０６を含む。システム９００は、コネクティビティをコンピューティングデバイス（例えば、図６に関連して説明されるように、デバイス６０６）に提供する、ＭＦｉインターフェース回路９０８を含む。システム１００はさらに、電力システム９１２を含み、電力を種々の回路に提供し、また、アナログ／デジタル変換のための基準電圧を提供する。
【０１０４】
図９Ｂ、９Ｃ、および９Ｄは、電力回路９１２の詳細な略図を示す。図９Ｂでは、電力をバッテリからシステム９００に供給するための電力回路９１２ａが、示される。電力回路は、監視および充電回路を含む。図９Ｃでは、生体信号取得チャネルのための電力回路９１２Ｂが、示される。図９Ｄでは、デジタル回路のための電力回路９１２Ｃが、示される。
【０１０５】
図９Ｅは、メインコントローラ９１０（デバイス「ＥＦＭ３２ＧＧ８８０」９１０として示される）のためのコントローラ回路の詳細な略図を示す。コントローラ回路は、メインコントローラ９１０に結合する、メモリモジュール９１２（デバイス「Ｓ２３ＭＬ０Ｇ１」として示される）を含む。メインコントローラ９１０は、部品番号「ＥＦＭ３２ＧＧ８８０」である、Ｓｉｌｉｃｏｎ  Ｌａｂｏｒａｔｏｒｉｅｓ（Ａｕｓｔｉｎ，  ＴＸ）製のＡＲＭ  Ｃｏｒｔｅｘ  ＣＰＵプラットフォームである。メモリ「Ｓ２３ＭＬ０Ｇ１」は、Ｃｙｐｒｅｓｓ  Ｓｅｍｉｃｏｎｄｕｃｔｏｒ  Ｃｏｒｐｏｒａｔｉｏｎ（Ｓａｎ  Ｊｏｓｅ，  ＣＡ）製の８ＧＢ（ギガバイト）ＮＡＮＤフラッシュメモリである。メインコントローラ９１０は、生体信号取得チャネル（例えば、１０４）と動作し、生体電位信号データを受信し、取得毎にデータをＮＡＮＤフラッシュメモリ（例えば、９１２）にローカルで記憶する。
【０１０６】
図９Ｆは、ＭＦｉ回路９０８の詳細な略図を示す。ＭＦｉ回路９０８は、外部コンピューティングデバイスとのインターフェースを提供する、マイクロコントローラ９１４（デバイス「ＳｉＭ３Ｕ１６７」として示される）を含む。図９Ｅのメインコントローラ９１０は、ＮＡＮＤフラッシュメモリ内に記憶された差動的に取得される広帯域心臓位相勾配信号データ（例えば、生体信号データおよび器具識別データ）の取得の合間に読み出し、ＭＦｉ回路９０８を通してデータを外部コンピューティングデバイスに転送するように、メモリ内に記憶されたコンピュータ可読命令によって構成されてもよい。いくつかの実施形態では、ＭＦｉ回路９０８は、信号取得中の干渉を最小限にするように、広帯域心臓位相勾配信号データの取得中に電源を切られてもよい。
【０１０７】
ＳｉＭ３Ｕ１６７は、Ｓｉｌｉｃｏｎ  Ｌａｂｏｒａｔｏｒｉｅｓ（Ａｕｓｔｉｎ，  ＴＸ）製のＡＲＭ  Ｃｏｒｔｅｘ−Ｍ３ベースのマイクロコントローラ（ＭＣＵ）である。ＳｉＭ３Ｕ１６７は、低エネルギー動作、高速起動時間、およびエネルギー節約モードを伴って構成される、ＵＳＢ  ＭＣＵファミリーのエネルギーに配慮したデバイスの一部であってもよい。
【０１０８】
図９Ｇは、例えば、試験および開発のために、メインコントローラ９１０にアクセスするために使用される、ＵＳＢ通信回路９０６の詳細な略図を示す。回路は、通常ランタイム動作中に、ユーザによるアクセスのために利用可能ではない場合がある。
【０１０９】
図９Ｈ、９Ｉ、９Ｊ、および９Ｋは、生体電位取得回路９０２の詳細な略図を示す。生体電位取得回路９０２は、プログラマブル利得増幅器を備える統合ＥＣＧフロントエンド回路を伴って構成される、アナログ／デジタルコンバータＩＣ９１６（デバイス「ＡＤＳ１２９４」９１６として示される）を含む。この目的を達成するために、アナログ／デジタルコンバータＩＣ９１６は、単一の集積回路の中に利得増幅器１１０およびアナログ／デジタル変換回路１１４の両方を含む。アナログ／デジタル変換回路の他の構成も、使用されてもよいが、アナログ／デジタル変換回路は、少なくとも約１７ビット、好ましくは、約２４ビットの分解能を有する。
【０１１０】
具体的には、図９Ｈは、制御ラインおよびデータラインを介した、図９Ｏのメインコントローラ９１０および生体電位チャネル回路９２２へのアナログ／デジタルコンバータＩＣ９１６の配線を示す。さらに、図９Ｈでは、単一のケーブル端子ブロック９２４（端子４０４ａ、４０４ｂに対応する）が、電極１０６ａ−１０６ｅに結合するケーブル１２４ａ−１２４ｅを備える、ケーブルアセンブリに結合するように、提供される。ケーブル端子ブロック９２４は、ｉ）３対の差動入力のためのピン（Ｊ５００のピン１、３、５、７、および９として示される）と、ｉｉ）外側遮蔽駆動部のためのピン９２６（Ｊ５００のピン４として示される）とを含む。Ｊ５００のピン１、３、５、７、および９はそれぞれ、個別の生体電位チャネル９２２の個別の入力９２８ａ−９２８ｆに接続する。生体電位チャネル９２２は、出力９３０ａ−９３０ｆをアナログ／デジタルコンバータＩＣ９１６の入力９３２ａ−９３２ｆに提供するように、６回繰り返される。アナログ／デジタルコンバータＩＣ９１６は、ライン９３４を介して、デジタルバスにわたって取得された信号１１２をメインコントローラ９１０に提供する（図９Ａおよび９Ｅ参照）。
【０１１１】
図９Ｏは、図９Ｈに関連して示されるような例示的生体信号取得チャネル９２２の詳細な略図を示す。着目すべきこととして、チャネル９２２の入力９５０と出力９５２との間の信号経路９４０内に能動構成要素または低域通過フィルタ処理が存在しない。この目的を達成するために、非線形歪曲を信号経路の中に導入し得る、能動フィルタおよび／または回路要素の欠如が存在する。図９Ｏでは、構成要素９２８は、ジャンパとしての役割を果たすシャントであり、構成要素９３８は、設置されず、プロトタイププリント回路基板内の随意の構成要素として提供される。実際に、単一のアンチエイリアス回路のみが、信号経路９３９の中に含まれる。アンチエイリアス回路は、コンデンサ（図９Ｈでは９４２ａ、９４２ｂ、および９４２ｃとして示される）によって接続される２つのチャネル９２２からの２つの抵抗器９４０を含む。構成要素（例えば、抵抗器９４０およびコンデンサ９４２ａ−９４２ｂ）の数は、好ましくは、雑音性能を改良するように最小限にされるが、これらの構成要素のそれぞれの１つを上回るものが、使用されてもよい。チャネル対のための抵抗器９４０は、１０キロオームであり、また、アナログ／デジタルコンバータＩＣ９１６の入力を保護する役割も果たす。
【０１１２】
１つ以上のフェライト９２８（例えば、フェライトビーズ）が、高周波数雑音（例えば、無線周波数雑音）を抑制するように、信号経路内に設置されてもよい。無線周波数信号は、概して、ＫＨｚ〜数百ＫＨｚである着目生体電位信号より数桁高い、ＭＨｚ範囲内であることに留意されたい。
【０１１３】
除細動保護を提供するために、除細動器保護回路またはその均等物が、信号経路９４０内に設置される。図９Ｌに示されるように、複合除細動、サージ、およびＥＳＤ保護回路が、使用される。図９Ｌは、除細動器保護回路（９４８ａ、９４８ｂとして示される）の詳細な略図を示す。例示的複合除細動、サージ、およびＥＳＤ保護回路は、Ｍａｘｉｍ  Ｉｎｔｅｇｒａｔｅｄ（Ｓａｎ  Ｊｏｓｅ，  ＣＡ）製のＭＡＸ３００３４保護デバイスである。図９Ｈでは、制限抵抗器（Ｒ５２０、Ｒ５１９、Ｒ５２４、Ｒ５１７、Ｒ５１８、およびＲ５２１）が、ＥＳＤ保護回路と併用される信号経路９４０内に設置されて示される。
【０１１４】
図９Ｉ、９Ｊ、および９Ｋはそれぞれ、アナログ／デジタル変換回路の電力面および接地面の容量分断およびフィルタ処理の詳細な略図を示す。
【０１１５】
図９Ｍおよび図９Ｎは、基準電圧を、図９Ｌに示されるような生体電位増幅器回路および図９Ｈに示されるような生体電位増幅器回路に提供する、電力調整回路の詳細な略図を示す。
【０１１６】
雑音低減回路
【０１１７】
図９Ｐは、コモンモード電圧基準を身体に印加する、例示的雑音除去回路の詳細な略図を示す。
【０１１８】
雑音除去システムの目標は、生体電位測定に干渉し得る、患者の身体内を流動する環境雑音電流を排除することである。雑音は、消費者電子機器、携帯電話、およびローカルＡＣ電力システムを含む、種々の環境源から発生され得る。これらのうちのいずれかまたは全ては、測定電極において、患者の生体電位を測定不能にする、または測定することをより困難にするであろう、電圧を発生させ得る。
【０１１９】
環境雑音に対処するために、ＢＳＡ器具ハードウェアは、コモンモード増幅器を採用し、可変電位（例えば、−１．０ＶＤＣ〜−２．０ＶＤＣまたは＋１．０〜＋２．０ＶＤＣ）または一定電位（例えば、＋１．５ＶＤＣまたは−１．５ＶＤＣの値）を患者の身体に能動的に印加し、したがって、通常動作中に環境雑音電流をシャントさせる。図９Ｐでは、コモンモード増幅器は、アナログ／デジタルコンバータＩＣ９１６（図９Ｈ）の内部増幅器出力９４６に接続される。他の実施形態では、別個の増幅器段が、患者の身体を他の電位に駆動するために使用されても良い。
【０１２０】
ＢＳＡ器具ハードウェアはさらに、コモンモード増幅器のものと同一の電位を用いてケーブル１２４ａ−１２４ｆの外側遮蔽体４０６ａ−４０６ｆを駆動する、演算増幅器Ｕ５０１（「ＬＭＶ２０１１」４１０ａとして示される）を含む。図９Ｐに示されるように、演算増幅器４１０ａの入力９４４はまた、アナログ／デジタルコンバータＩＣ９１６（図９Ｈ）の内部増幅器出力９４６に結合される。アナログ／デジタルコンバータＩＣ９１６は、一定電位（例えば、１．５ＶＤＣ）を発生させるように構成される。他の実施形態では、アナログ／デジタルコンバータＩＣ９１６は、アナログ／デジタルコンバータ９１６の入力９３２ａ−９３２ｆの読取値の平均出力を発生させるように構成される。
【０１２１】
図９Ｑ、９Ｒ、９Ｓ、および９Ｔは、オキシメトリ回路（９０４ａ、９０４ｂ、９０４ｃ、および９０４ｄとして示される）の構成要素の詳細な略図である。オキシメトリ回路９０４は、パルスオキシメータ（ＰＯ２）センサと動作し、酸素飽和読取値を収集するように構成される。いくつかの実施形態では、酸素飽和読取値は、少なくとも１２ビットの分解能および２００サンプル／秒の最小レートで収集される。
【０１２２】
広帯域心臓位相勾配信号取得システムの別の実施例が、２０１７年３月２日に公開された国際公開第ＷＯ２０１７／０３３１６４号（参照することによってその全体として本明細書に組み込まれる）に説明される。
【０１２３】
例示的ＢＳＡ基板
【０１２４】
図１０Ａは、ある実施形態による、図９の広帯域心臓位相勾配信号取得システムを含む、多層プリント回路基板を備える、例示的生体信号取得（「ＢＳＡ」）基板１０００の略図である。ＢＳＡ基板１０００は、いくつかの実施形態では、ケーブル端子ブロック９２４とアナログ／デジタルコンバータＩＣ９１６との間に配列される生体信号取得チャネル１０４の混合信号フロント段回路を囲繞する、伝導性遮蔽体１００４（例えば、接地遮蔽ケージ）を含む。伝導性遮蔽体１００４は、いくつかの実施形態では、基準接地面に電気的に結合される。
【０１２５】
図１０Ｂは、ケーブル端子ブロック９２４とアナログ／デジタルコンバータＩＣ９１６との間に配列される生体信号取得チャネル１０４の混合信号フロント段回路の図１０Ａの詳細図の１００２の略図を示す。
【０１２６】
図１０Ｂでは、トレーシング１００６ａ、１００６ｂが、生体電位チャネル入力９２８ａおよび９２８ｂに接続され、トレーシング１００６ｃ、１００６ｄが、生体電位チャネル入力９２８ｃおよび９２８ｄに接続され、トレーシング１００６ｅ、１００６ｆが、生体電位チャネル入力９２８ｅおよび９２８ｆに接続される、トレーシング１００６ａ、１００６ｂと、トレーシング１００６ｃ、１００６ｄと、トレーシング１００６ｅ、１００６ｆとを含む、３差動チャネルのためのトレーシング対の３つのセットが、示される。トレーシング１００６ａ−１００６ｆは、ビア１００８ａ−１００８ｆによって接続される２つの層（実線および鎖線で示される）を横断して配列される。
【０１２７】
上記のように、単一のアンチエイリアス回路のみ（いくつかの実施形態では、除細動保護回路）が、信号経路９４０の中に含まれる。アンチエイリアス回路は、コンデンサ（図９Ｈでは９４２ａ、９４２ｂ、および９４２ｃとして示される）によって接続される２つのチャネル９２２からの２つの抵抗器９４０を含む。構成要素（例えば、抵抗器９４０およびコンデンサ９４２ａ−９４２ｂ）の数は、雑音性能を改良するように最小限にされる。所与のチャネル対のための抵抗器９４０ａ−９４０ｆは、１０キロオームであり、アナログ／デジタルコンバータＩＣ９１６の入力のためのコモンモード除去率を増加させることによって、アナログ／デジタルコンバータＩＣ９１６の入力を保護する役割を果たす。
【０１２８】
ケーブル駆動電圧面
【０１２９】
別の側面では、遮蔽駆動電圧回路が、取得システムの低雑音および低干渉の動作を促進するために使用される。図１０Ｂはさらに、例示的遮蔽駆動電圧面４１６を示す。遮蔽駆動電圧面４１６は、ケーブル１２４ａ−１２４ｆの外側遮蔽体４０６ａ−４０６ｆを駆動し、外側遮蔽体４０６ａ−４０６ｆ上で誘発される雑音の多い電流のための帰還パスを提供する、遮蔽駆動増幅器４１０ａに接続される。遮蔽駆動電圧面４１６は、ケーブル１２４ａ−１２４ｆの外側遮蔽体４０６−４０６ｆに接続する端子９２４のピンに接続する、ビア１０１０を通して端子９２４に電気的に結合される。いくつかの実施形態では、ケーブルは、外側遮蔽体を有するトランク区画を含み、トランク区画から延在する複数の分岐ケーブルを備える、分岐区画のセットを含む。分岐ケーブルはそれぞれ、トランク区画の外側遮蔽体に接続する、外側遮蔽体を含む。
【０１３０】
いくつかの実施形態では、多層プリント回路基板は、上部の「第１の」層および「第３の」層が、信号トレーシングのために指定され、「第２の」層および底部の「第７の」層が、基準接地面を有し、「第４の」層が、ケーブル駆動電圧面４１６を含む、７つの層を備える。実際に、基板の「第２」および「第７の」層は、基準接地面としての役割を果たし、「第４の」層は、ケーブル駆動接地面としての役割を果たす。層「５」は、電力層として使用されてもよい。
【０１３１】
上部の「第１の」層および「第３の層」は、実質的に層を通して、かつケーブル駆動電圧面４１６と一致し、同一平面上にある１つ以上の領域を横断して延設する、伝導性トレース対（例えば、低インピーダンストレース）を有する、信号層を備える。いくつかの実施形態では、伝導性トレースは、幅が０．２５４ｍｍである（幅が０．００１インチである）。他のトレース厚さも、低インピーダンス動作を促進するために、材料に応じて使用されてもよい。一対の伝導性トレースは、多層プリント回路に直接的にまたは間接的に添着されるコネクタ（例えば、端子９２４）を横断して、ケーブル１２４ａ−１２４ｆの信号搬送導体の端部に、また、（アナログ／デジタル変換回路および増幅段を有する）アナログ／デジタルコンバータＩＣ９１６の差動入力ピンに電気的に結合する。（第２の接地層としての）ケーブル駆動電圧面４１６は、端子９２４にわたって、ケーブル１２４ａの外側遮蔽体４０６ａ、ケーブル１２４ｂの外側遮蔽体４０６ｂ、ケーブル１２４ｃの外側遮蔽体４０６ｃ、ケーブル１２４ｄの外側遮蔽体４０６ｄ、ケーブル１２４ｅの外側遮蔽体４０６ｅ、およびケーブル１２４ｆの外側遮蔽体４０６ｆに電気的に結合する。ケーブル駆動電圧面４１６は、トレーシング１００６ａ−１００６ｆの実質的な長さと重複し、アナログ／デジタルコンバータＩＣ９１６の占有面積にわたって部分的に重複する（１００８として示される）。２つの層を横断してルーティングされて示されているが、他の実施形態では、トレーシング１００６ａ−１００６ｆは、多層プリント回路基板の単一の層にわたってルーティングされてもよい。
【０１３２】
いくつかの実施形態では、ケーブル１２４ａ−１２４ｆは、信号取得基板１０００のコネクタ（例えば、端子９２４）に解放可能に噛合するように構成される、単一のケーブルピンコネクタ（図１１Ａに示される）において終端する。
【０１３３】
さらに改良された低雑音動作を可能にするために、一対の伝導性トレース１００６ａ−１００６ｆのうちの各伝導性トレースは、類似する長さを伴って配列され、差動対の対応するトレースとともに実質的に類似するインピーダンス特性を有するように、対応するトレース（例えば、図１０Ｂに示されるような）と同数のビアを有する。さらに、各一対の伝導性トレースは、一対の伝導性トレースのうちの各伝導性トレースの実質的な長さが相互と略平行であるように、それらがルーティングされる各層上に、（例えば、図１０Ｂに示されるように）相互に近接近して配列される。
【０１３４】
さらに、伝導性トレース１００６ａ−１００６ｆおよびケーブル駆動電圧面４１６は、そのような回路から発生される干渉および雑音を最小限にするように、本質的に処理および通信構成要素（例えば、９１０、９１２、９１４）から隔離される、基板１０００の一部の上に配列される。
【０１３５】
依然として図１０Ａを参照すると、接地遮蔽ケージとしての役割を果たす伝導性遮蔽体１００４の幾何学的構成が、示される。伝導性筐体１００４は、一対の伝導性トレース１００６ａ−１００６ｆの実質的部分をカプセル化するように、（第２の接地層として）ケーブル駆動電圧面４１６の実質的部分に跨架する。
【０１３６】
実際に、一対の伝導性トレース１００６ａ、１００６ｂは、３差動入力チャネルのセットの信号取得基板の第１の差動入力チャネルの一部を形成する。図１０Ｂに示されるように、第２の差動入力チャネルはまた、ケーブル駆動接地面と一致し、同一平面上にある領域を横断して、実質的に信号層を通して延設する、一対の伝導性トレース１００６ｃ、１００６ｄも備える（第３の差動入力チャネルは、一対の伝導性トレース１００６ｅ、１００６ｆを備える）。
【０１３７】
図１０Ｂに戻って参照すると、ＢＳＡ基板１０００は、コネクタ１０１４を介して、電力を取得回路に提供するバッテリに接続される。ＢＳＡ基板１０００は、インターフェースをマイクロコントローラに提供する、ＵＳＢコネクタ１０１２を含む。
【０１３８】
図１０Ｃおよび１０Ｄは、生体信号取得基板１０００の付加的な図を示す。図１０Ｃでは、層１、３、および４のトレースルーティングおよび面境界が、示される。図１０Ｄでは、層１、３、４、および６のトレースルーティングおよび面境界が、示される。図１０Ｃおよび１０Ｄに示されるようなルーティングは、図１０Ａに関連して説明される構成要素設置に対応する。
【０１３９】
図１１Ａは、ある実施形態による、図１０ＡのＢＳＡ基板１０００を含む、例示的ＢＳＡ器具１１００の写真である。ＢＳＡシステム１１００は、ＢＳＡ基板１０００（図１０Ａ参照）とインターフェースをとるコンピューティングデバイス１１０４（例えば、ポータブルコンピューティングデバイス）を格納する、筐体１１０２を含む。筐体１１０２はさらに、表面電極１０６ａ−１０６ｇと関連付けられるケーブル１２４ａ−１２４ｆに接続する、コネクタ１１０６を含む。図１１Ａに示されるように、表面電極１０６ａ−１０６ｆは、広帯域心臓位相勾配信号の取得のために使用され、表面電極１０６ｇは、コモンモード基準電極である。
【０１４０】
図１１Ｂは、ある実施形態による、図１０ＡのＢＳＡ基板を含む、例示的ＢＳＡ器具１１００の分解未組立図を伴う略図である。
【０１４１】
表１は、図１２のＢＳＡ器具１１００の例示的構成要素を示す。
【表１−１】
2020508788.tif 000003
【表１−２】
2020508788.tif 000004
【０１４２】
生体電位信号データは、いくつかの実施形態では、時系列データとして正規化され、コモンモード電位が除去されている。
【０１４３】
広帯域心臓位相勾配信号データは、取得された生体電位信号データの差として発生される。
【０１４４】
位相勾配信号は、例えば、身体上の２つの場所において取得される２つの生体電位信号間の差として、身体から取得される２つ以上の生体電位信号から発生される。この目的を達成するために、位相勾配信号が、位相空間内の後続分析のために、本明細書に示されるものに加え、種々の電極において取得される生体電位信号の任意の所与のペアリングのために発生されることができる。
【０１４５】
とりわけ、本明細書に説明されるような非線形位相歪曲は、位相空間内のデータにおける非線形雑音として示される、差動信号の誤差を発生させ得ることを理解されたい。この目的を達成するために、非線形位相歪曲を伴わない広帯域位相勾配信号の取得は、位相空間内の広帯域位相勾配信号の後続分析の正確度および精度を有意に改良することができる。
【０１４６】
広帯域心臓位相勾配信号に実施され得る、位相空間技法および分析の実施例は、「Ｍｅｔｈｏｄｓ  ａｎｄ  Ｓｙｓｔｅｍｓ  Ｕｓｉｎｇ  Ｍａｔｈｅｍａｔｉｃａｌ  Ａｎａｌｙｓｉｓ  ａｎｄ  Ｍａｃｈｉｎｅ  Ｌｅａｒｎｉｎｇ  ｔｏ  Ｄｉａｇｎｏｓｅ  Ｄｉｓｅａｓｅ」と題された米国公開第２０１６／０３７８９３６号、「Ｍｅｔｈｏｄ  ａｎｄ  Ｓｙｓｔｅｍ  ｆｏｒ  Ｃｈａｒａｃｔｅｒｉｚｉｎｇ  Ｃａｒｄｉｏｖａｓｃｕｌａｒ  Ｓｙｓｔｅｍｓ  Ｆｒｏｍ  Ｓｉｎｇｌｅ  Ｃｈａｎｎｅｌ  Ｄａｔａ」と題された米国公開第２０１５／０２１６４２６号、「Ｎｏｎｉｎｖａｓｉｖｅ  Ｍｅｔｈｏｄ  ｆｏｒ  Ｅｓｔｉｍａｔｉｎｇ  Ｇｌｕｃｏｓｅ，  Ｇｌｙｃｏｓｙｌａｔｅｄ  Ｈｅｍｏｇｌｏｂｉｎ  ａｎｄ  Ｏｔｈｅｒ  Ｂｌｏｏｄ  Ｃｏｎｓｔｉｔｕｅｎｔｓ」と題された米国特許第９，５９７，０２１号、「Ｎｏｎｉｎｖａｓｉｖｅ  Ｅｌｅｃｔｒｏｃａｒｄｉｏｇｒａｐｈｉｃ  Ｍｅｔｈｏｄ  ｆｏｒ  Ｅｓｔｉｍａｔｉｎｇ  Ｍａｍｍａｌｉａｎ  Ｃａｒｄｉａｃ  Ｃｈａｍｂｅｒ  Ｓｉｚｅ  ａｎｄ  Ｍｅｃｈａｎｉｃａｌ  Ｆｕｎｃｔｉｏｎ」と題された米国公開第２０１５／０１３３８０３号、「Ｎｏｎｉｎｖａｓｉｖｅ  Ｅｌｅｃｔｒｏｃａｒｄｉｏｇｒａｐｈｉｃ  Ｍｅｔｈｏｄ  ｆｏｒ  Ｅｓｔｉｍａｔｉｎｇ  Ｍａｍｍａｌｉａｎ  Ｃａｒｄｉａｃ  Ｃｈａｍｂｅｒ  Ｓｉｚｅ  ａｎｄ  Ｍｅｃｈａｎｉｃａｌ  Ｆｕｎｃｔｉｏｎ」と題された米国特許第９，７３７，２２９号、「Ｎｏｎ−ｉｎｖａｓｉｖｅ  Ｍｅｔｈｏｄ  ａｎｄ  Ｓｙｓｔｅｍ  ｆｏｒ  Ｃｈａｒａｃｔｅｒｉｚｉｎｇ  Ｃａｒｄｉｏｖａｓｃｕｌａｒ  Ｓｙｓｔｅｍｓ  ａｎｄ  Ａｌｌ−Ｃａｕｓｅ  Ｍｏｒｔａｌｉｔｙ  ａｎｄ  Ｓｕｄｄｅｎ  Ｃａｒｄｉａｃ  Ｄｅａｔｈ  Ｒｉｓｋ」と題された米国特許第９，４０８，５４３号、「Ｎｏｎ−ｉｎｖａｓｉｖｅ  Ｍｅｔｈｏｄ  ａｎｄ  Ｓｙｓｔｅｍ  ｆｏｒ  Ｃｈａｒａｃｔｅｒｉｚｉｎｇ  Ｃａｒｄｉｏｖａｓｃｕｌａｒ  Ｓｙｓｔｅｍｓ」と題された米国特許第９，６５５，５３６号、「Ｎｏｎ−ｉｎｖａｓｉｖｅ  Ｍｅｔｈｏｄ  ａｎｄ  Ｓｙｓｔｅｍ  ｆｏｒ  Ｃｈａｒａｃｔｅｒｉｚｉｎｇ  Ｃａｒｄｉｏｖａｓｃｕｌａｒ  Ｓｙｓｔｅｍｓ」と題された米国特許第９，２８９，１５０号、「Ｓｙｓｔｅｍ  ａｎｄ  Ｍｅｔｈｏｄ  ｆｏｒ  Ｅｖａｌｕａｔｉｎｇ  ａｎ  Ｅｌｅｃｔｒｏｐｈｙｓｉｏｌｏｇｉｃａｌ  Ｓｉｇｎａｌ」と題された米国特許第８，９２３，９５８号、「Ｍｅｔｈｏｄ  ａｎｄ  Ａｐｐａｒａｔｕｓ  ｆｏｒ  Ｗｉｄｅ−Ｂａｎｄ  Ｐｈａｓｅ  Ｇｒａｄｉｅｎｔ  Ｓｉｇｎａｌ  Ａｃｑｕｉｓｉｔｉｏｎ」と題された米国公開第２０１７／０１１９２７２号、「Ｎｏｎ−ｉｎｖａｓｉｖｅ  Ｍｅｔｈｏｄ  ａｎｄ  Ｓｙｓｔｅｍ  ｆｏｒ  Ｍｅａｓｕｒｉｎｇ  Ｍｙｏｃａｒｄｉａｌ  Ｉｓｃｈｅｍｉａ，  Ｓｔｅｎｏｓｉｓ  Ｉｄｅｎｔｉｆｉｃａｔｉｏｎ，  Ｌｏｃａｌｉｚａｔｉｏｎ  ａｎｄ  Ｆｒａｃｔｉｏｎａｌ  Ｆｌｏｗ  Ｒｅｓｅｒｖｅ  Ｅｓｔｉｍａｔｉｏｎ」と題された米国出願第１５／６３３，３３０号、および「Ｍｅｔｈｏｄ  ａｎｄ  Ｓｙｓｔｅｍ  ｆｏｒ  Ｖｉｓｕａｌｉｚａｔｉｏｎ  ｏｆ  Ｈｅａｒｔ  Ｔｉｓｓｕｅ  ａｔ  Ｒｉｓｋ」と題された米国出願第１���／７１２，１０４号（それぞれ、参照することによってその全体として本明細書に組み込まれる）に説明される。
【０１４７】
例示される実施形態によって発生される広帯域位相勾配信号データは、上記のように、種々の位相空間技法および分析のための入力として使用されてもよく、これは、ひいては、患者の健康状態を査定するための臨床上有用な情報を発生させるため、および、例えば、病状およびその状態を正確に示して区別するため、および、心臓または脳分野（広帯域心臓または脳位相勾配信号が使用されるとき等）、腫瘍学分野、胎内分野、またはヒトまたは他の哺乳類の身体から放出される生理学的信号の完全スペクトルの全体または一部がそのように使用され得る、任意の他の医療分野にあるかどうかにかかわらず、可能性として考えられる疾患発症を予測するために使用され、実施されてもよい。例えば、そのような臨床上有用な情報は、次いで、さらに分析され、医師による精査および／または患者への提示のために、任意の数の報告、データセット、提示等に変換されてもよい（限定ではないが、スマートフォンまたはコンピュータを介した提示のためのデジタルフォーマット、紙報告フォーマット、プレゼンテーションスライドフォーマット、またはその他を含む、任意の数のフォーマットにおいて）。そのようなデータは、例えば、医師によって、患者のためのさらなる検査および／または治療を推奨するために使用されてもよい。本明細書で議論されるような生理学的信号を収集および処理するために使用され得る、方法およびシステムの実施例は、共同所有され、上記で参照された、２０１６年５月２３日に出願され、「Ｍｅｔｈｏｄ  ａｎｄ  Ｓｙｓｔｅｍ  ｆｏｒ  Ｃｏｌｌｅｃｔｉｎｇ  Ｐｈａｓｅ  Ｓｉｇｎａｌｓ  ｆｏｒ  Ｐｈａｓｅ  Ｓｐａｃｅ  Ｔｏｍｏｇｒａｐｈｙ  Ａｎａｌｙｓｉｓ」と題された米国仮特許出願第６２／３４０，４１０号（その全体は、参照することによって本明細書に組み込まれる）に見出され得る。したがって、本発明は、本明細書に説明される生体信号取得器具を利用して、任意のタイプの哺乳類の生理学的信号を取得し、次いで、本明細書に説明される種々の位相空間技法および分析を使用してさらに処理され得る、広帯域位相勾配信号データに処理し、ひいては、患者およびその医師のための臨床的に関連する有用な情報を含む、任意の数のフォーマットにおいて、そのような技法および分析に基づいてデータおよび／または報告を発生させるための方法およびシステムを考慮する。
【０１４８】
図１２Ａおよび１２Ｂは、例証的実施形態による、広帯域心臓位相勾配信号と関連付けられる生体電位信号を取得するための患者の胸部および背中における表面電極１０６ａ−１０６ｇの例示的設置の略図である。図１２Ａは、患者の胸部および背部への表面電極１０６ａ−１０６ｇの設置の正面図を示す。図１２Ｂは、同一部分への表面電極１０６ａ−１０６ｇの設置の側面図を示す。示されるように、表面電極は、ｉ）第５肋間腔に対応する右前腋窩線の近位の第１の場所と、ｉｉ）第５肋間腔に対応する左前腋窩線の近位の第２の場所と、ｉｉｉ）第１肋間腔に対応する胸骨左縁の近位の第３の場所と、ｉｖ）胸骨の下方および剣状突起の側方の胸骨左縁の近位の第４の場所と、ｖ）第３肋間腔に対応する胸骨左縁の近位の第５の場所と、ｖｉ）第５の場所の正反対かつ脊椎の左の背中の近位の第６の場所と、ｖｉｉｉ）左腋窩線に沿った第２肋間腔に対応する右上腹部の近位の第７の場所とに位置付けられる。共通リード（「ＣＭＭ」として示される）も、示される。
【０１４９】
図１２Ａおよび１２Ｂはまた、ＢＳＡ器具によって取得される差動測定の例示的取得点も示す。
【０１５０】
広帯域心臓位相勾配信号の取得に加え、例示されるシステム１００は、広帯域脳位相勾配信号を取得するために使用され得ることが考慮される。
【０１５１】
図１３は、例証的実施形態による、ＢＳＡ器具またはデバイス１１００（「生体信号取得デバイス」１００として示される）の例示的動作である。図１３に示されるように、ＢＳＡ器具１１００は、広帯域心臓位相勾配信号１１６を患者１０８から取得するように構成される。各ＢＳＡ器具１１００は、取得された広帯域心臓位相勾配信号データ１１６を複数のＢＳＡ器具１００に接続されるデータリポジトリ１３０４（「ＭＤＤＳ１３０４」（医療デバイスデータシステム）として示される）に伝送するように構成される、無線通信デバイス１３０２に動作可能に結合される。各ＢＳＡ器具１１００の広帯域心臓位相勾配信号データ１１６は、リポジトリ１３０４に記憶され、続いて、例えば、処理センタ１３０６によって分析される。分析の出力は、診断リポジトリ１３０８内に記憶され、これは、クライアントデバイス１３１０を介して、診断リポジトリ１３０８に動作可能に結合されるポータル１３１２から、臨床医にアクセス可能である。
【０１５２】
このようにして、本開示のいくつかの実施形態を説明してきたが、むしろ、前述の詳細な開示は、一例として提示されるにすぎず、限定的ではないことを意図していることが、当業者に明白となるであろう。心臓内の異常の場所に関する非侵襲性方法およびシステムの多くの利点が、本明細書で議論されている。種々の改変、改良、および修正が、当業者に想起され、意図されるであろうが、本明細書では明示的に述べられていない。これらの改変、改良、および修正は、本明細書によって示唆されることを意図し、本開示の精神および範囲内である。
【０１５３】
いくつかの実施形態では、広帯域位相勾配信号と関連付けられる生体電位信号の取得は、種々の疾患および症状を診断するように、身体の他の部分において実施されてもよい。例えば、例示されるシステムは、腫瘍学のための広帯域位相勾配信号と関連付けられる生体電位信号を取得するために使用されてもよい。例示されるシステムは、胎内発育を監視するための広帯域位相勾配信号と関連付けられる生体電位信号を取得するために使用されてもよい。
【０１５４】
例示される方法およびシステムは、研究および臨床目的のため、および獣医学目的における動物の治療のための試験動物を含む、任意のタイプの哺乳類および動物から生体信号を取得するために使用され得ることが考慮される。
【０１５５】
加えて、処理要素またはシーケンスの列挙される順序、または数字、文字、または他の記号の使用は、したがって、請求項に規定され得る場合を除き、請求されるプロセスをいかなる順序にも限定することを意図していない。故に、本開示は、以下の請求項およびその均等物によってのみ限定される。
【０１５６】
例示的分析は、限定ではないが、心臓病、心不整脈、糖尿病性自律神経障害、パーキンソン病、てんかんの形態、脳損傷、変性認知状態、異なる心拍数における心臓の安定性、薬剤の有効性、虚血、無症候性虚血、心房細動、心室細動、心室頻拍、血管閉塞、注意力欠如障害等を含む、種々の病理および症状を識別するために、使用されることができる。
【０１５７】
別様に明示的に記述されない限り、本明細書に記載される任意の方法が、そのステップが具体的順序で実施されることを要求すると解釈されることは、いかようにも意図されない。故に、方法の請求項が、そのステップによって辿られる順序を実際に記載しない、またはステップが具体的順序に限定されるものであることが請求項または説明において別様に具体的に記述されない場合、任意の点に関して順序が推測されることは、いかようにも意図されない。これは、ステップまたは動作フローの配列に関する論理の事項、文法構成または句読点に由来する単純な意味、本明細書に説明される実施形態の数またはタイプを含む、解釈の任意の可能性として考えられる非明示的根拠に当てはまる。
【０１５８】
本明細書で議論される、これらの種々の構成要素は、これらの実施形態において機能し得る構成要素の実施例にすぎず、他の構成要素もまた、使用されてもよい。
【図１】
2020508788.tif 000005
【図２】
2020508788.tif 000006
【図３】
2020508788.tif 000007
【図４Ａ】
2020508788.tif 000008
【図４Ｂ】
2020508788.tif 000009
【図５】
2020508788.tif 000010
【図６】
2020508788.tif 000011
【図７】
2020508788.tif 000012
【図８】
2020508788.tif 000013
【図９Ａ】
2020508788.tif 000014
【図９Ｂ】
2020508788.tif 000015
【図９Ｃ】
2020508788.tif 000016
【図９Ｄ】
2020508788.tif 000017
【図９Ｅ】
2020508788.tif 000018
【図９Ｆ】
2020508788.tif 000019
【図９Ｇ】
2020508788.tif 000020
【図９Ｈ】
2020508788.tif 000021
【図９Ｉ】
2020508788.tif 000022
【図９Ｊ】
2020508788.tif 000023
【図９Ｋ】
2020508788.tif 000024
【図９Ｌ】
2020508788.tif 000025
【図９Ｍ】
2020508788.tif 000026
【図９Ｎ】
2020508788.tif 000027
【図９Ｏ】
2020508788.tif 000028
【図９Ｐ】
2020508788.tif 000029
【図９Ｑ】
2020508788.tif 000030
【図９Ｒ】
2020508788.tif 000031
【図９Ｓ】
2020508788.tif 000032
【図９Ｔ】
2020508788.tif 000033
【図１０Ａ】
2020508788.tif 000034
【図１０Ｂ】
2020508788.tif 000035
【図１０Ｃ】
2020508788.tif 000036
【図１０Ｄ】
2020508788.tif 000037
【図１１Ａ】
2020508788.tif 000038
【図１１Ｂ】
2020508788.tif 000039
【図１２Ａ−１２Ｂ】
2020508788.tif 000040
【図１３】
2020508788.tif 000041
【国際調査報告】
2020508788.tif 000042
2020508788.tif 000043
2020508788.tif 000044